(57)【要約】 【課題】石積構造物の外観を損なうことなく石積構造物の耐震性を向上させ得る耐震性石積構造物を提供する。【解決手段】内部に空洞部２が設けられると共に空洞部２に連通する窓部３が設けられてなる空洞石材６と、空洞石材６を上下から挾むように配置される上石材７と下石材９とを、連結石材１０と上下の連結棒１１，１２とを用いて連結一体化する。連結石材１０は、空洞石材６上に載置されると共に、上石材７の下面に凹設された嵌入凹所４３に嵌入される。空洞石材６の空洞部２の周縁部分３０には、窓部３を避けて、上下方向で貫通する連結孔３１が設けられ、連結孔３１を挿通した下の連結棒１２の下端部分が下石材９に止着されると共にその上端部分は連結石材１０に止着される。上の連結棒１１の下端部分は連結石材１０に止着されると共に、その上端部分は上石材９に止着される。【選択図】図２
2011226129.tif 000002
【特許請求の範囲】
【請求項１】
内部に空洞部が設けられると共に、該空洞部に連通する窓部が周壁部に設けられてなる空洞石材と、該空洞石材を上下から挾むように配置される上石材と下石材とを、連結石材と上下の連結棒とを用いて連結一体化する耐震性石積構造物であって、該連結石材は、前記空洞石材上に載置される共に、前記上石材の下面に凹設された嵌入凹所に嵌入される如くなされ、又、該嵌入状態で、該連結石材の上面に該嵌入凹所の頂面が載置される如くなされ、又、前記空洞石材の前記空洞部の周縁部分には、前記窓部が設けられている部分を避けて、上下方向で貫通する連結孔が設けられており、該連結孔を挿通した前記下の連結棒の下端部分が前記下石材に止着されると共に、該下の連結棒の上端部分が前記連結石材に止着されることにより、前記空洞石材と前記下石材と前記連結石材とが該下の連結棒を介して連結一体化される如くなされ、又、前記上の連結棒の下端部分が前記連結石材に止着されると共に該上の連結棒の上端部分が前記上石材に止着されて、前記連結石材と前記上石材とが該上の連結棒を介して連結一体化される如くなされていることを特徴とする耐震性石積構造物。
【請求項２】
前記連結石材の全体が前記嵌入凹所に嵌入されることを特徴とする請求項１記載の耐震性石積構造物。
【発明の詳細な説明】
【技術分野】
【０００１】
本発明は、石積構造物全体としての耐震性を向上させ得る耐震性石積構造物に関するものである。
【背景技術】
【０００２】
石材を順次積重して構成された灯籠等の石積構造物は、石材を単純に積み重ねただけでは、地震力が特に大きい場合に倒壊しやすい問題があった。そこで本発明者は、耐震性の灯籠を特開２００５−７６１９１号公報で提案した。
【０００３】
該耐震性の灯籠ａは、図３６に示すように、下部材ｂと、該下部材ｂ上に載置された中部材ｃと、該中部材ｃ上に載置された上部材ｄとを具えており、該下部材ｂは、上側に向かって幅狭となる３個の石材ｅ，ｆ，ｇを積み上げて構成されており、該中部材ｃは、上下に稍長い１個の石材として構成されており、前記上部材ｄは、基台ｊと、その上に設けられた火袋（内部に空洞部ｋが設けられると共に、該空洞部ｋに連通する窓部ｍが周壁部ｎに設けられてなる石材）ｐと、その上に被る傘ｑと、その上端に載置された擬宝珠ｓとで構成されていた。
【０００４】
そして、前記した下部材ｂを構成する下の石材ｅと中間の石材ｆと上の石材ｇ、及び前記中部材ｃには、平面視で中央部に位置させて、連結孔ｔ，ｔ，ｔ，ｔが上下連通状態に設けられていた。又、前記下の石材ｅは、基礎ｕにボルト固定される如くなされると共に、前記上部材ｄを構成する前記基台ｊの下面部ｖの中央には、前記連結孔ｔ，ｔ，ｔ，ｔが連通されてなる連通連結孔ｗと同心に雌ネジ部ｘが埋設されていた。
【０００５】
そして該連通連結孔ｗには連結棒ｙが挿通せしめられ、その上端のネジ軸部ｚが前記雌ネジ部ｘに螺合されると共に、前記下部材ｂの最下端の石材ｅの下の面ａ１で突出（連通連結孔ｗの下端で突出）した連結棒下端のネジ軸部ｂ１には座金を介してナットｄ１が螺合され締め付けられることにより、下部材ｂと中部材ｃと基台ｊとが連結一体化されて耐震性の灯籠ａが構成されるようになされていた。
【０００６】
かかる耐震性の灯籠ａは、前記下部材ｂと、前記中部材ｃと、前記上部材ｄの内の前記基台ｊとが連結棒ｙで連結一体化されているために転倒しにくい利点があった。しかしながら、前記上部材ｄの内の前記火袋ｐは前記基台ｊ上に単純に載置されているだけであり、前記傘ｑは前記火袋ｐ上に単純に載置されているだけであり、又、前記擬宝珠ｓは前記傘ｑの上端に単純に載置されているだけであって、該火袋ｐ、該傘ｑ、該擬宝珠ｓは、前記連結棒ｙによって連結されてはいなかった。そのため、地震時の振動如何によっては前記火袋ｐや傘ｑ、擬宝珠ｓからなる灯籠の上部分が倒壊する恐れがあり、灯籠全体としての耐震性が十分とはいえない問題があった。
【０００７】
もしも図３７に示すように、前記連結棒ｙを、前記火袋ｐの前記空洞部ｋを上方に貫通させると共に、前記傘ｑに設けた連結孔ｆ１に挿通せしめ、更に、前記擬宝珠ｓの下面部ｇ１に埋設された雌ネジ部ｈ１に螺合させることとすれば、灯籠を構成する全ての石材を連結棒ｙで連結一体化できることとなり、これにより灯籠全体としての耐震性を向上させ得ることとなる。
【０００８】
しかしながら前記火袋ｐには、その周壁部ｎに、前記空洞部ｋに連通する窓部ｍが設けられているため、図３７（Ａ）（Ｂ）に示すように、前記連結棒ｙの内の、前記空洞部ｋを上方に貫通する連結棒部分ｍ１が該窓部ｍを通して見えることになってしまい、これでは灯籠の外観を損なうことになってしまう。そのために前記連結棒ｙは、前記火袋ｐの空洞部ｋを挿通させることとはせずに、該連結棒ｙの上端のネジ軸部ｚを、前記火袋ｐを支持する前記基台ｊに埋設した前記雌ネジ部ｘに螺合させざるを得なかったのである。
【先行技術文献】
【特許文献】
【０００９】
【特許文献１】特開２００５−７６１９１号公報
【発明の概要】
【発明が解決しようとする課題】
【００１０】
本発明は前記従来の問題点に鑑みて開発されたものであり、前記火袋のような、内部に空洞部が設けられると共に該空洞部に連通する窓部が周壁部に設けられてなる空洞石材を含む石積構造物であっても、該石積構造物の外観を損なうことなく、該空洞石材と、該空洞石材を上下から挾むように配置される上石材と下石材とを連結棒で連結一体化可能とし、これによって石積構造物の耐震性を一層向上させることができる耐震性石積構造物の提供を課題とするものである。
【課題を解決するための手段】
【００１１】
前記課題を解決するため本発明は以下の手段を採用する。
即ち本発明に係る耐震性石積構造物は、内部に空洞部が設けられると共に、該空洞部に連通する窓部が周壁部に設けられてなる空洞石材と、該空洞石材を上下から挾むように配置される上石材と下石材とを、連結石材と上下の連結棒とを用いて連結一体化する耐震性石積構造物であって、前記連結石材は、前記空洞石材上に載置される共に前記上石材の下面に凹設された嵌入凹所に嵌入されるようになされ、又、該嵌入状態で、該連結石材の上面に該嵌入凹所の頂面が載置される如くなされている。又、前記空洞石材の前記空洞部の周縁部分には、前記窓部が設けられている部分を避けて、上下方向で貫通する連結孔が設けられており、該連結孔を挿通した前記下の連結棒の下端部分が前記下石材に止着されると共に、該下の連結棒の上端部分が前記連結石材に止着されることにより、前記空洞石材と前記上石材と前記下石材とが前記下の連結棒を介して連結一体化される如くなされ、又、前記上の連結棒の下端部分が前記連結石材に止着されると共に該上の連結棒の上端部分が前記上石材に止着されて、前記連結石材と前記上石材とが前記上の連結棒を介して連結一体化される如くなされていることを特徴とするものである。
【００１２】
該耐震性石積構造物において、前記連結石材の全体が前記嵌入凹所に嵌入されるように構成するのがよい。
【発明の効果】
【００１３】
本発明は以下の如き優れた効果を奏する。
本発明に係る耐震性石積構造物によるときは、石積構造物を構成する全ての石材を上下の連結棒で連結一体化できるために、灯籠等の石積構造物全体としての耐震性を向上させることができる。しかも、該上下の連結棒による石材の連結一体化を連結石材を用いて行なうこととしているため、下の連結棒を、空洞石材の空洞部を貫通するように配置するのではなく、該空洞部の周壁部において前記窓部を避けて上下方向で貫通する如く設けた連結孔に下の連結棒を挿通させることが可能となる。かかることから、前記空洞石材の窓部を通して該下の連結棒が目視されることがなく、石積構造物の外観を損ずる恐れがない。  
【００１４】
又、本発明は、前記連結石材を嵌入させるための嵌入凹所を前記傘等の上石材に設ける構成を採用するため、該嵌入凹所に連結石材の全体又はその多くの部分を嵌め入れることが可能であり、灯籠等の石積構造物の該嵌入部分の外観を損ないにくい。加えて、嵌入凹所を設けた分だけ上石材の重量を軽減でき上石材の取り扱い性を向上させ得る。
【図面の簡単な説明】
【００１５】
【図１】本発明を応用して構成された耐震性灯籠を示す斜視図である。
【図２】その断面図である。
【図３】その分解斜視図である。
【図４】その一部分を示す分解斜視図である。
【図５】耐震性灯籠を組み立てるに際し、台座石材上に支柱を立設し、その上に火袋受台を設置する作業工程を示す断面図である。
【図６】耐震性灯籠を組み立てるに際して、火袋受台上に火袋を設置し、その上に連結石材を設置する作業工程を示す断面図である。
【図７】柱石材と火袋受台と火袋と連結石材の連結一体化状態を示す断面図である。
【図８】耐震性灯籠を組み立てるに際して、連結石材上に傘を設置し、該傘の上端に擬宝珠を設置する作業工程を示す断面図である。
【図９】連結石材と傘と擬宝珠の三者を連結一体化する他の構成を説明する断面図である。
【図１０】火袋内に流入した雨水の排出状態を示す断面図である。
【図１１】火袋受台の連結孔の上端周縁部分に十字状の水誘導溝を設けた構成を説明する斜視図と平面図である。
【図１２】本発明を応用して構成された耐震性五重の塔を示す正面図である。
【図１３】耐震性五重の塔に応用されている本発明の構成を説明する断面図である。
【図１４】その構成の他の態様を示す断面図である。
【図１５】その構成のその他の態様を示す断面図である。
【図１６】その構成のその他の態様を示す断面図である。
【図１７】その構成のその他の態様を示す断面図である。
【図１８】連結石材と上石材とを上の連結棒を用いて連結一体化した状態を示す拡大断面図である。
【図１９】本発明を応用して構成された耐震性五重の塔の他の態様を示す正面図である。
【図２０】耐震性五重の塔に応用されている本発明の構成を説明する断面図である。
【図２１】その構成の他の態様を示す断面図である。
【図２２】その構成のその他の態様を示す断面図である。
【図２３】その構成のその他の態様を示す断面図である。
【図２４】その構成のその他の態様を示す断面図である。
【図２５】連結石材と上石材とを上の連結棒を用いて連結一体化した状態を示す拡大断面図である。
【図２６】連結石材と上石材とを上の連結棒を用いて連結一体化した状態を示す拡大断面図である。
【図２７】連結石材と上石材とを上の連結棒を用いて連結一体化した他の構成を説明する断面図である。
【図２８】下の連結棒の他の態様をそれが下石材に立設された状態で示す一部断面正面図である。
【図２９】下の連結棒のその他の態様をそれが下石材に立設された状態で示す一部断面正面図である。
【図３０】下の連結棒のその他の態様をそれが下石材に立設された状態で示す一部断面正面図である。
【図３１】平面視で六角形状を呈する箱状に形成された火袋としての空洞石材を連結石材と共に示す斜視図である。
【図３２】それを用いて構成された耐震性灯籠の一部分を示す断面図である。
【図３３】平面視で円形を呈する箱状に形成された火袋としての空洞石材と、それに用いる連結石材を示す斜視図である
【図３４】耐震性石積構造物のその他の実施例を示す断面図である。
【図３５】石材間に目地溝を形成する目的で石材間に樹脂製のクッション材を介在させた状態の一例を示す断面図である。
【図３６】従来の耐震性灯籠を示す一部断面平面図である。
【図３７】従来の耐震性灯籠の問題点を示す正面図である。
【発明を実施するための形態】
【実施例１】
【００１６】
図１〜４において本発明に係る耐震性石積構造物１は耐震性灯籠１ａに応用されており、内部に空洞部２が設けられると共に該空洞部２に連通する窓部３が周壁部５に設けられてなる、火袋６ａとしての空洞石材６と、該空洞石材６を上下から挾むように配置される、傘７ａとその上端に設置される擬宝珠３８とからなる上石材７と、火袋受台９ａとしての下石材９とを、連結石材１０と上下の連結棒１１，１２とを用いて連結一体化するものである。そして本実施例においては図２に示すように、該下石材９は、地面に定置される台座石材１５上に立設される柱石材１６の上面１７に載置されるようになされており、該台座石材１５と該柱石材１６と該下石材９とは１本の連結棒１９で連結一体化されるようになされている。
【００１７】
前記空洞石材（火袋６ａ）６は、本実施例においては図３〜４に示すように、外形が立方体箱状を呈しており、上端が円形に開放し且つ下端が閉じられた円形の空洞部（直径は例えば１２０ｍｍ）２を有しており、該空洞石材６ａの周壁部５を構成する４つの側壁部２５，２６，２７，２８の夫々には、前記空洞部２に連通する前記窓部３が設けられている。その一方の対向する側壁部２５，２７には円形孔状の窓部３ａが設けられると共に、その他方の対向する側壁部２６，２８の一方の側壁部２６には、三角形状の窓部３ｂと菱形状の窓部３ｃとを適宜組み合わせることよって、これらの窓部間で花柄部２９が設けられると共に、他方の側壁部２６には矩形状の比較的大きな窓部３ｄ（図２）が設けられている。
【００１８】
そして、該空洞石材６ａの前記周壁部５の前記空洞部２の周縁部分３０には、前記窓部３が設けられている部分を避けて、本実施例においては前記火袋６ａの四隅部分３０ａ，３０ａ，３０ａ，３０ａに、上下方向で貫通する連結孔（以下、中間の連結孔という）３１，３１，３１，３１が設けられている。該中間の連結孔の孔径は、例えば１５ｍｍに設定される。
【００１９】
前記下石材（火袋受台９ａ）９は、本実施例においては図２〜４に示すように、平面視で正方形状を呈する板体として構成されており、その四隅部分には、前記空洞石材６の四隅部分に設けられている前記中間の連結孔３１，３１，３１，３１と位置合わせして、上下方向で貫通する下の連結孔（孔径は例えば１２ｍｍ）３２，３２，３２，３２が設けられている。そして各連結孔３２の上下端側部分は拡大されて、ナット３３を納めるための下の拡大孔（孔径は例えば２８ｍｍ）３５と上の拡大孔（孔径は例えば２８ｍｍ）３６とされている。又、該下石材（火袋受台９ａ）９の中央部分には、上下方向で貫通する連結孔（孔径は例えば１８ｍｍ）３７が設けられており、該連結孔３７の上端側部分は拡大されて、ナット３３を納めるための拡大孔（孔径は例えば５０ｍｍ）３９とされている。
【００２０】
前記上石材７を構成する前記傘７ａは、本実施例においては図２〜４に示すように、平面視で正方形状をなし、全体として傘状を呈しており、その上端部には正方形台状部４０が設けられると共にその上面は、擬宝珠３８を設置するための擬宝珠設置面４１とされている。又、その下面４２は正方形状の平坦な水平面に形成され、該下面４２の中央部分には正方形状の嵌入凹所４３が設けられている。該嵌入凹所４３の正方形の一辺長さは例えば１８５ｍｍに設定されると共に、その深さは例えば８５ｍｍに設定されている。又、該嵌入凹所４３の頂面４５は水平面に形成されている。そして該頂面４５の中央部分には、上の中央の連結孔（孔径は例えば１５ｍｍ）４６が設けられると共に、該連結孔４６の上端側部分は拡大されて、ナット３３を納めるための拡大孔（孔径は例えば４０ｍｍ）４７とされている。
【００２１】
前記連結石材１０は、本実施例においては図２に示すように、前記傘７ａの前記嵌入凹所４３に嵌入されることにより、該連結石材１０の上面４９に該嵌入凹所４３の頂面４５が当接し、これによって、該連結石材１０が前記傘７ａの重量を支持する如くなされている。そして、このように嵌入された状態で、該連結石材１０の下面５０が前記傘７ａの前記下面４２と面一、乃至該下面４２から稍浮き上がるようになされている。図２においては、例えば５ｍｍ程度浮き上がった状態が示されている。
【００２２】
該連結石材１０は、より具体的には図３〜４に示すように、平面視で正方形状を呈する直方体状板体の上側の四隅部分が四分割円弧状に欠切されており、該欠切部５２の下側に存する部分が止着板部５３とされている。このように四分割円弧状の欠切部５２を形成しているのは、前記ナット３３の締め付け作業を容易化するためであるが、このような欠切部５２が設けられないこともある。そして、該止着板部５３の上面５５の略中央部分に位置させて、上下方向に貫通する上の連結孔（孔径は例えば１５ｍｍ）５６，５６，５６，５６が、前記空洞石材６の四隅部に設けられている前記中間の連結孔３１，３１，３１，３１と位置合わせして設けられている。そして該連結石材１０の中央部分は、前記止着板部５３の上面５５よりも結果的に高く形成された載置支持部５７とされており、強度のある該載置支持部５７で前記傘７ａを安定的に支持できる。又、該載置支持部５７の中央部分には、下の中央の連結孔（孔径は例えば１５ｍｍ）５９が上下方向で貫設されており、該下の中央の連結孔５９の下端側部分は拡大されて、ナット３３を納めるための拡大孔（孔径は例えば３０ｍｍ）６０とされている。
【００２３】
前記擬宝珠３８は、図２に示すように、その下面６１で前記擬宝珠設置面４１に設置されるものであり、円形周面６２を有し、図４に示すように、その下面６１の中央部分に雌ネジ部６３が埋設されている。
【００２４】
又前記柱石材１６は、図２〜３に示すように、平面視で正方形状を呈しており高さが４００ｍｍ程度に設定された上下に長い石材であって、その上面の中央部分には、前記連結孔３７と連通する状態で連結孔（孔径は例えば１８ｍｍ）６５が貫設されている。該連結孔６５の下端側部分は拡大されて、ナット３３を納めるための拡大孔（孔径は例えば４０ｍｍ）６６とされている。
【００２５】
又前記台座石材１５は、図２〜３に示すように、平面視で正方形状を呈しており、高さが１６０ｍｍ程度に設定された直方体状の石材であって、その上面の中央部分には、前記連結孔６５と連通する状態で連結孔（孔径は例えば１８ｍｍ）６７が貫設されており、該連結孔６５の下端側部分は拡大されて、ナット３３を納めるための拡大孔（孔径は例えば４０ｍｍ）６８とされている。そして、該台座石材１５の下面６９の中央部の両側には下端開放の雌ネジ部７０が埋設されており、該雌ネジ部７０に、アンカーボルト７１の上端ネジ軸部７２が螺合されている。
【００２６】
然して、前記構成の各石材を用いて耐震性灯籠１ａを構築するに際しては、先ず図５（Ａ）に示すように、前記台座石材１５の前記連結孔６７に、上下に長い例えばステンレス製の両切りボルトとしての連結棒１９を挿通し、該連結棒１９の下端部分としてのネジ軸部７５に座金を介してナット３３を螺合すると共に、該連結孔６７の上端側において、前記連結棒１９のネジ軸に螺合されているナット３３を螺合し締め付ける。これによって該連結棒１９は回り止めされ、該連結棒１９の上側部分７９が該台座石材１５の上面８０で立設状態となる。その後、図５（Ｂ）に示すように、該連結棒１９の上側部分７９を、前記柱石材１６の前記連結孔６５にその下側から順次挿通させつつ該柱石材１６を前記台座石材１５上に載置する。この状態で、前記ナット３３が該柱石材１６の前記拡大孔６６に納まる。そして、前記連結棒１９の上端側の部分８１が該柱石材１６の上面１７の上方に突出した状態となる。
【００２７】
その後、図２、図５（Ｃ）、図６（Ａ）に示すように、前記下石材（火袋受台９ａ）９の中央部分に設けられている前記連結孔３７に前記連結棒１９の上端側の部分８１を挿通させ該下石材９を前記柱石材１６の上面１７に載置すると共に、前記連結孔３７の拡大孔３９において、ナット３３を螺合し締め付ける。このとき、連結棒１９は、前記台座石材１５側に配置されている上下のナット３３，３３の締め付けによって回り止めされているので、該拡大孔３９内のナット３３の締め付けを確実に行うことができる。該ナット３３と、連結棒１９の上端部７４は、該拡大孔３９に納まる。これにより図２に示すように、連結棒１９を介して、前記台座石材１５と前記柱石材１６と前記下石材９とが連結一体化される。
【００２８】
なお本実施例においては、図５（Ｃ）に示すように、下石材９を前記柱石材１６の上面１７に載置するに先立って、前記４つの下の連結孔３２，３２，３２，３２に、下の連結棒１２を挿通状態とし、その下端側の部分７４を該下石材９に固定しておく。該下の連結棒１２は、本実施例においては、上下に長い例えばステンレス製の両切りボルトとして構成されている。該下の連結棒１２の下端部分８６に座金を介してナット３３を螺合し、該下の連結棒１２の下端部と該ナット３３とを前記下の拡大孔３５に納める。その後、該下の連結棒１２の稍上側に螺合したナット３３を前記上の拡大孔３６に納めた状態で締め付ける。即ち、該下端部分８６を止着する。これにより、該下の連結棒１２の前記下端側の部分７４が下石材９に固定され、４本の下の連結棒１２，１２，１２，１２は該下石材９の上面７６で立設状態となる。その後、図６（Ａ）（Ｂ）に示すように、前記空洞石材６の四隅の各中間の連結孔３１，３１，３１，３１の夫々に、対応の下の連結棒１２の上側の部分９０を挿通させ、該空洞石材６を下石材９上に載置する。この状態で、図６（Ｂ）に示すように、４本の下の連結棒１２の上端側の部分９１，９１，９１，９１が該空洞石材６の上面９２から上方に突出状態となる。
【００２９】
この状態で、図６（Ｂ）、図７に示すように、前記連結石材１０の四隅の前記上の連結孔５６，５６，５６，５６の夫々に、対応の下の連結棒１２の上端側の部分９１を挿通させ、該連結石材１０を前記空洞石材６の上面９２に載置する。そして、前記止着板部５３の上面５５で突出した、下の連結棒１２の上端部分９５に座金を介してナット３３を螺合し締め付ける。即ち、該上端部分９５を該連結石材１０に止着する。このとき、下の連結棒１２は、前記下石材９側の上下のナット３３，３３が締め付けられた状態にあって回り止めされているので、前記止着板部５３側のナット３３の締め付けを確実に行うことができる。下の連結棒１２の上端部分と該ナット３３は、前記欠切部５２に納まる。
【００３０】
これにより、該４本の下の連結棒１２，１２，１２，１２を介して、前記下石材９と前記空洞石材６と前記連結石材１０の三者が連結一体化されることになる。
【００３１】
その後、図８（Ａ）（Ｂ）に示すように、前記上石材７を構成する前記傘７ａを、その嵌入凹所４３に前記連結石材１０を嵌め入れつつ降ろし、該連結石材１０の前記載置支持部５７の上面４９と前記嵌入凹所４３の頂面４５とを当接させる。これにより、前記傘７ａが前記連結石材１０に載置された状態となる。この状態で、前記上下の中央の連結孔４６，５９が連通状態となる。該連通連結孔８２（図８（Ｂ））に、例えばステンレス製の両切りボルトとして構成された前記上の連結棒１１を上から下に向けて挿通するのであるが、その際、図８（Ｂ）に示すように、該上の連結棒１１の上側部分に、例えば前記傘７ａの上面としての擬宝珠設置面４１に当接する状態で、ナット３３を螺合しておく。又、該上の連結棒１１の下端部分（ネジ軸部）８３にナット３３を螺合する。このナット３３の螺合は、前記空洞石材６の前記矩形状の窓部３ｄに手を挿入して行なうことができる。該ナット３３を前記拡大孔６０に納めた状態で、該上の連結棒１１の前記上側部分に螺合されているナット３３を締め付ける。即ち、該下端部分８３を前記連結石材１０に止着する。
【００３２】
これによって、該上の連結棒１１の上端側の部分９７が前記擬宝珠設置面４１から上方に突出状態となるので、該上端部分９７を前記擬宝珠３８の前記雌ネジ部６３に螺合させる。該雌ネジ部６３の下端６３ａは、本実施例においては図８（Ｂ）に示すように、該擬宝珠３８の下面に凹設された拡大孔４７の頂面４７ａで開口されている。該擬宝珠３８は、ナットのように回転させて締め付けるのであるが、このとき、上の連結棒１１は、上下のナット３３，３３が締め付けられた状態にあって回り止めされているので、擬宝珠３８の回転、締め付けを、確実に行うことができる。この締め付けによって、上端部分９７を前記上石材７に止着する。これによって、図２に示すように、前記連結石材１０と前記上石材７と前記擬宝珠３８の３者が該上の連結棒１１で連結一体化されることとなる。
【００３３】
図９は、前記連結石材１０と、前記上石材７を構成する傘７ａと前記擬宝珠３８の３者を該上の連結棒１１で連結一体化する他の態様を例示するものであり、該擬宝珠３８の雌ネジ部６３に、例えばステンレス製のネジ軸からなる前記上の連結棒１１の上端部分１００を螺合し、該上の連結棒１１を前記擬宝珠３８の下面６１から下方に突出状態とし、突出したネジ軸部分１０１にナット３３を螺合し締め付けて該上端部分１００の緩みを防止する。該ナット３３は前記拡大孔４７に納まる。その後、該突出したネジ軸部分１０１を、連通状態にある上下の中央の連結孔４６，５９に挿通せしめ、該上の連結棒１１の下端ネジ軸部１０２に座金を介してナット３３を螺合し締め付けることとしてもよい。この締め付けは、前記正方形状の窓部３ａに手を挿入し工具を用いて行うことができる。なお、該ナット３３と上の連結棒１１の下端部は前記拡大孔６０に納まる。
このようにして、全ての石材を連結一体化することにより耐震性灯籠１ａを構成できる。
【００３４】
本実施例においては、図２に示すように、前記空洞石材（火袋）６の底部１０４の中央部分に水抜き孔１０６が設けられているため、該火袋６ａの前記空洞部２に前記窓部３を通して浸入した雨水は、該水抜き孔１０６を通して流下し、前記ナット３３の螺締部分を通して前記下石材９の連結孔３７内に流入し、その後、前記柱石材１６の連結孔６５と前記台座石材１５の連結孔６７を流下し、前記連結棒１９の下側部分におけるナット３３，３３の螺締部分の隙間を通して外部に排出される。このような雨水の流入と排出を容易化するために、ナット３３の前記の各螺締部分において、図１０〜１１に示すように、前記下石材９の連結孔３７の上端周縁部分３７ａや、前記台座石材１５の前記連結孔６７の上端周縁部分６７ａとその下端周縁部分６７ｂに、十字状等の水誘導溝１０８を設けるのがよい。その他のナット螺締部分においても、同様にして水誘導溝を設けるのがよい。
【００３５】
このようにして構成された耐震性灯籠１ａは、図２に示すように、現場打ちコンクリート１０７の打設によって、前記アンカーボルト７１を介して地面に定置される。
【００３６】
このようにして地面に定置された耐震性灯籠１ａは、図２に示すように、前記連結棒１９と前記上下の連結棒１１，１２を介して全体が一体化されているため、灯籠全体としての耐震性能を長期間に亘って安定的に維持させることができるのは元より、前記４本の下の連結棒１１，１１，１１，１１が前記空洞石材６の空洞部２を上下方向で貫通することなく、該空洞部２の周縁部３０において上下方向で貫設された中間の連結孔３１を挿通することから、該下の連結棒１２が前記窓部３を通して目視されることがない。従って、灯籠の外観を損なうことがない。
【実施例２】
【００３７】
図１２〜１７は、本発明に係る耐震性石積構造物１が耐震性五重の塔１ｂに応用された場合を示すものであり、該耐震性五重の塔１ｂは、下石材９と空洞石材６と連結石材１０と上石材７とを含む複数個の石材を順次積重して構成されている。今、積重されている石材を下から順に、第１石材１０９、第２石材１１０、第３石材１１１、第４石材１１２、第５石材１１３、第６石材１１４、第７石材１１５、第８石材１１６、第９石材１１７、第１０石材１１８、第１１石材１１９、第１２石材１２０、第１３石材１２１、第１４石材１２２、第１５石材１２３、第１６石材１２４、第１７石材１２５、第１８石材１２６とする。
【００３８】
本発明に係る耐震性石積構造物１は、空洞石材６と、該空洞石材６を上下から挾むように配置される、上石材７と下石材９とが、連結石材１０と上下の連結棒１１，１２とを用いて連結一体化されてなるものであるが、該耐震性五重の塔１ｂにあっては、図１３に示すように、前記第３の石材１１１が空洞石材６に該当し、前記第２石材１１０が下石材９に該当し、前記第５石材１１３と前記第６石材１１４と前記第７石材１１５の組が上石材７に該当し、前記第４石材１１２が、該第５石材１１３の下面に凹設された嵌入凹所４３に嵌入される連結石材１０に該当する。そして、該連結石材１０の上面４９に該嵌入凹所４３の頂面４５が載置される如くなされている。
【００３９】
又、図１４に示すように、第６石材１１４が空洞石材６に該当し、前記第５石材１１３と第４石材１１２の組が下石材９に該当し、前記第８石材１１６と前記第９石材１１７と前記第１０石材１１８の組が上石材７に該当し、前記第７石材１１５が、該第８石材１１６の下面に凹設された嵌入凹所４３に嵌入される連結石材１０に該当する。そして、該連結石材１０の上面４９に該嵌入凹所４３の頂面４５が載置される如くなされている。
【００４０】
又、図１５に示すように、第９石材１１７が空洞石材６に該当し、前記第８石材１１６と第７石材１１５の組が下石材９に該当し、前記第１１石材１１９と前記第１２石材１２０と前記第１３石材１２１の組が上石材７に該当し、前記第１０石材１１８が、該第１１石材１１９の下面に凹設された嵌入凹所４３に嵌入される連結石材１０に該当する。そして、該連結石材１０の上面４９に該嵌入凹所４３の頂面４５が載置される如くなされている。
【００４１】
又、図１６に示すように、第１２石材１２０が空洞石材６に該当し、前記第１１石材１１９と第１０石材１１８の組が下石材９に該当し、前記第１４石材１２２と前記第１５石材１２３と前記第１６石材１２４の組が上石材７に該当し、前記第１３石材１２１が、該第１４石材１２２の下面に凹設された嵌入凹所４３に嵌入される連結石材１０に該当する。そして、該連結石材１０の上面４９に該嵌入凹所４３の頂面４５が載置される如くなされている。
【００４２】
又、図１７に示すように、第１５石材１２３が空洞石材６に該当し、前記第１４石材１２２と第１３石材１２１の組が下石材９に該当し、前記第１７石材１２５と前記第１８石材１２６の組が上石材７に該当し、前記第１６石材１２４が、該第１７石材１２５の下面に凹設された嵌入凹所４３に嵌入される連結石材１０に該当する。そして、該連結石材１０の上面４９に該嵌入凹所４３の頂面４５が載置される如くなされている。
【００４３】
ここで１段目の空洞石材６ａに関して説明すれば、図１３に示すように、下石材９としての前記第２石材１１０と、空洞石材６ａとしての前記第３石材１１１と、連結石材１０としての前記第４石材１１２とが下の連結棒１２で連結一体化されると共に、上石材７としての前記第５石材１１３、前記第６石材１１４、前記第７石材１１５の組と、連結石材１０としての前記第４石材１１２とが上の連結棒１１で連結一体化されている。
【００４４】
又、２段目の空洞石材６ｂに関して説明すれば、図１４に示すように、下石材９としての前記第５石材１１３と前記第４石材１１２の組と、空洞石材６ｂとしての前記第６石材１１４と、連結石材１０としての前記第７石材１１５とが下の連結棒１２で連結一体化されると共に、上石材７としての前記第８石材１１６、前記第９石材１１７、前記第１０石材１１８の組と、連結石材１０としての前記第７石材１１５とが上の連結棒１１で連結一体化されている。
【００４５】
又、３段目の空洞石材６ｃに関して説明すれば、図１５に示すように、下石材９としての前記第８石材１１６と前記第７石材１１５の組と、空洞石材６ｃとしての前記第９石材１１７と、連結石材１０としての前記第１０石材１１８とが下の連結棒１２で連結一体化されると共に、上石材７としての前記第１１石材１１９、前記第１２石材１２０、前記第１３石材１２１の組と、連結石材１０としての前記第１０石材１１８とが上の連結棒１１で連結一体化されている。
【００４６】
又、４段目の空洞石材６ｄに関して説明すれば、図１６に示すように、下石材９としての前記第１１石材１１９と前記第１０石材１１８の組と、空洞石材６ｄとしての前記第１２石材１２０と、連結石材１０としての前記第１３石材１２１とが下の連結棒１２で連結一体化されると共に、上石材７としての前記第１４石材１２２、前記第１５石材１２３、前記第１６石材１２４の組と、連結石材１０としての前記第１３石材１２１とが上の連結棒１１で連結一体化されている。
【００４７】
又、５段目の空洞石材６ｅに関して説明すれば、図１７に示すように、下石材９としての前記第１４石材１２２と前記第１３石材１２１の組と、空洞石材６ｄとしての前記第１５石材１２３と、連結石材１０としての前記第１６石材１２４とが下の連結棒１２で連結一体化されると共に、上石材７としての前記第１７石材１２５、前記第１８石材１２６の組と、連結石材１０としての前記第１６石材１２４とが上の連結棒１１で連結一体化されている。
【００４８】
図１３〜１７において前記４本の下の連結棒１１，１１，１１，１１は、前記空洞石材６の前記空洞部２の周縁部分３０に、前記窓部３が設けられている部分を避けて設けられた前記中間の連結孔３１，３１，３１，３１を貫通する。又、図１３〜１６においては、前記連結石材１０の上面の四隅部分で埋設された雌ネジ部１２７，１２７，１２７，１２７に下端部分１２９，１２９，１２９，１２９がねじ込まれてなる（即ち止着されてなる）４本のネジ軸１３０，１３０，１３０，１３０を用いて前記上の連結棒１１が構成されている。上の連結棒１１は、図１７においては、図１８に拡大して示すように、前記第１８石材１２６の下面の中央部分で埋設された雌ネジ部１６５に上端部分１６６がねじ込まれてなる（即ち止着されてなる）１本のネジ軸１３０を用いて構成されている。そして、該上の連結棒１１の下端部分１６７には、前記連結石材１０としての第１６石材１２４の下面中央部分に凹設された拡大孔１６９に納めたナット３３が螺合され締め付けられている。即ち、該連結石材１０に止着されている。
【００４９】
そして、４つの脚片１３１を有する台座石材１５としての前記第１石材１０９と前記第２石材１１０とは、図１２〜１３に示すように、連結棒１２８でネジ連結されており、該第１石材１０９は、図１２に示すように、その脚片１３１の下端で突設されたアンカーボルト１３２を介し、現場打ちコンクリートの打設によって地面１３に定置される。これらによって、耐震性五重の塔１ｂが構成されることになる。該耐震性五重の塔１ｂは、本発明に係る耐震性石積構造物１が応用されて、塔全体として耐震性を有する。
【実施例３】
【００５０】
図１９〜２４は、本発明に係る耐震性石積構造物１が耐震性五重の塔１ｂに応用された他の実施例を示すものであり、該耐震性五重の塔１ｂは、図１２〜１７に示すと同様に、下石材９と空洞石材６と連結石材１０と上石材７とを含む複数個の石材を順次積重して構成されている。今、積重されている石材を下から順に、第１石材１０９、第２石材１１０、第３石材１１１、第４石材１１２、第５石材１１３、第６石材１１４、第７石材１１５、第８石材１１６、第９石材１１７、第１０石材１１８、第１１石材１１９、第１２石材１２０、第１３石材１２１、第１４石材１２２、第１５石材１２３、第１６石材１２４、第１７石材１２５、第１８石材１２６とする。
【００５１】
本発明に係る耐震性石積構造物１は、空洞石材６と、該空洞石材６を上下から挾むように配置される、上石材７と下石材９とが、連結石材１０と上下の連結棒１１，１２とを用いて連結一体化されてなるものであるが、該耐震性五重の塔１ｂにあっては、図２０に示すように、前記第３の石材１１１が空洞石材６に該当し、前記第２石材１１０が下石材９に該当し、前記第５石材１１３が上石材７に該当し、前記第４石材１１２が、該第５石材１１３の下面に凹設された嵌入凹所４３に嵌入される連結石材１０に該当する。そして、該連結石材１０の上面４９に該嵌入凹所４３の頂面４５が載置される如くなされている。  
【００５２】
又、図２１に示すように、第６石材１１４が空洞石材６に該当し、前記第５石材１１３が下石材９に該当し、前記第８石材１１６が上石材７に該当し、前記第７石材１１５が、該第８石材１１６の下面に凹設された嵌入凹所４３に嵌入される連結石材１０に該当する。そして、該連結石材１０の上面４９に該嵌入凹所４３の頂面４５が載置される如くなされている。
【００５３】
又、図２２に示すように、第９石材１１７が空洞石材６に該当し、前記第８石材１１６が下石材９に該当し、前記第１１石材１１９が上石材７に該当し、前記第１０石材１１８が、該第１１石材１１９の下面に凹設された嵌入凹所４３に嵌入される連結石材１０に該当する。そして、該連結石材１０の上面４９に該嵌入凹所４３の頂面４５が載置される如くなされている。
【００５４】
又、図２３に示すように、第１２石材１２０が空洞石材６に該当し、前記第１１石材１１９が下石材９に該当し、前記第１４石材１２２が上石材７に該当し、前記第１３石材１２１が、該第１４石材１２２の下面に凹設された嵌入凹所４３に嵌入される連結石材１０に該当する。そして、該連結石材１０の上面４９に該嵌入凹所４３の頂面４５が載置される如くなされている。
【００５５】
又、図２４に示すように、第１５石材１２３が空洞石材６に該当し、前記第１４石材１２２が下石材９に該当し、前記第１７石材１２５と前記第１８石材１２６の組が上石材７に該当し、前記第１６石材１２４が、該第１７石材１２５の下面に凹設された嵌入凹所４３に嵌入される連結石材１０に該当する。そして、該連結石材１０の上面４９に該嵌入凹所４３の頂面４５が載置される如くなされている。
【００５６】
ここで１段目の空洞石材６ａに関して説明すれば、図２０に示すように、下石材９としての前記第２石材１１０と、空洞石材６ａとしての前記第３石材１１１と、連結石材１０としての前記第４石材１１２とが下の連結棒１２で連結一体化されると共に、上石材７としての前記第５石材１１３と、連結石材１０としての前記第４石材１１２とが上の連結棒１１で連結一体化されている。
【００５７】
又、２段目の空洞石材６ｂに関して説明すれば、図２１に示すように、下石材９としての前記第５石材１１３と、空洞石材６ｂとしての前記第６石材１１４と、連結石材１０としての前記第７石材１１５とが下の連結棒１２で連結一体化されると共に、上石材７としての前記第８石材１１６と、連結石材１０としての前記第７石材１１５とが上の連結棒１１で連結一体化されている。
【００５８】
又、３段目の空洞石材６ｃに関して説明すれば、図２２に示すように、下石材９としての前記第８石材１１６と、空洞石材６ｃとしての前記第９石材１１７と、連結石材１０としての前記第１０石材１１８とが下の連結棒１２で連結一体化されると共に、上石材７としての前記第１１石材１１９と、連結石材１０としての前記第１０石材１１８とが上の連結棒１１で連結一体化されている。
【００５９】
又、４段目の空洞石材６ｄに関して説明すれば、図２３に示すように、下石材９としての前記第１１石材１１９と、空洞石材６ｄとしての前記第１２石材１２０と、連結石材１０としての前記第１３石材１２１とが下の連結棒１２で連結一体化されると共に、上石材７としての前記第１４石材１２２と、連結石材１０としての前記第１３石材１２１とが上の連結棒１１で連結一体化されている。
【００６０】
又、５段目の空洞石材６ｅに関して説明すれば、図２４に示すように、下石材９としての前記第１４石材１２２と、空洞石材６ｅとしての前記第１５石材１２３と、連結石材１０としての前記第１６石材１２４とが下の連結棒１２で連結一体化されると共に、上石材７としての前記第１７石材１２５、前記第１８石材１２６の組と、連結石材１０としての前記第１６石材１２４とが上の連結棒１１で連結一体化されている。
【００６１】
図２０〜２４において前記４本の下の連結棒１２，１２，１２，１２は、前記空洞石材６の前記空洞部２の周縁部分３０に、前記窓部３が設けられている部分を避けて設けられた前記中間の連結孔３１，３１，３１，３１を貫通する。又、図２０〜２３において前記上の連結棒１１は、図２５に拡大して示すように、前記連結石材１０の下面中央部分に凹設された拡大孔１２７と前記上石材７の上面中央部分に凹設された拡大孔１２８に、下端部分１２９と上端部分１３４が突出状態となり、該下端部分１２９と該上端部分１３４にナット３３が螺合され締め付けられている。即ち止着されている。又、上の連結棒１１は、図２４においては、図２６に拡大して示すように、前記第１８石材１２６の下面の中央部分で埋設された雌ネジ部１５７に上端部分１５９がねじ込まれてなる（即ち止着されてなる）１本のネジ軸１３０を用いて構成されている。そして、該上の連結棒１１の下端部分１６０には、前記連結石材１０としての第１６石材１２４の下面中央部分に凹設された拡大孔１６１に納めたナット３３が螺合され締め付けられている。即ち、該連結石材１０に止着されている。又、該上の連結棒１１の上端側には、前記第１７石材１２５の上面１６２に当接した締め付け状態となるナット３３が配設され、該ナット３３は、前記第１８石材１２６の下面中央部分に凹設された拡大孔１６３に納められている。
【００６２】
そして、４つの脚片１３１を有する台座石材１５としての前記第１石材１０９と前記第２石材１１０とは、図１９〜２０に示すように、連結棒１２８でネジ連結されており、該第１石材１０９は、図１９に示すように、その脚片１３１の下端で突設されたアンカーボルト１３２を介し、現場打ちコンクリートの打設によって地面１３に定置される。これらによって、耐震性五重の塔１ｂが構成されることになる。該耐震性五重の塔１ｂは、本発明に係る耐震性石積構造物１が応用されて、塔全体として耐震性を有する。
【実施例４】
【００６３】
本発明は、前記実施例で示したものに限定されるものでは決してなく、「特許請求の範囲」の記載内で種々の設計変更が可能であることはいうまでもない。その一例を挙げれば次のようである。
【００６４】
(1) 本発明に係る耐震性石積構造物１は、要は、内部に空洞部２が設けられると共に、該空洞部２に連通する窓部３が周壁部５に設けられてなる空洞石材６と、該空洞石材６を上下から挾むように配置される上石材７と下石材９とを、連結石材１０と上下の連結棒１１，１２とを用いて連結一体化するものであればよいのであり、前記した灯籠や五重の塔の他、各種の石積構造物に応用できる。
【００６５】
(2) 本発明に係る耐震性石積構造物１は、前記擬宝珠３８に相当するものは必ずしも必須ではない。石積構造物によっては、上石材７上に他の石材が載置されない場合があるし、該上石材７上に一体的に飾り石等が設けられる場合もある。このような場合は、例えば図２７に示すように、上石材７の前記嵌入凹所４３の頂面４５に下端開放の雌ネジ部１３２を埋設すると共に、該雌ネジ部１３２に上の連結棒１１の上端ネジ軸部１３３を螺合し、該上の連結棒１１を該頂面４５の下方向に突出状態とした後、該上の連結棒１１の下方への突出部分１３５を前記連結石材１０の上の連結孔５６に挿通せしめ、該上の連結棒１１の下端ネジ軸部１３６にナット３３を螺合し締め付けることによって、該連結石材１０と該上石材７とを連結一体化することもできる。
【００６６】
(3) 前記下の連結棒１２は、図２８〜２９に示すような二分割タイプのものでもよい。図２８においては、下ネジ軸１３９を前記下石材（例えば火袋受台９ａ）９の下の連結孔３２に挿通させると共に該下ネジ軸１３９の下端側部分１４０に座金を介してナット３３を螺合し、該下ネジ軸１３９の上端部分１４１に、座金を介して、上下に長い長ナット１４３の下側雌ネジ部１４５を螺合し該長ナット１４３を締め付ける。そして、該長ナット１４３の上側雌ネジ部１４６に上ネジ軸１４７の下端部分１４８を螺合し該上ネジ軸１４６の上側の部分１４９を前記下石材９の上面７６で上方に突出状態とする。これにより、前記１本の下の連結棒１２を前記下石材９の上面７６で上方に突設したのと同様の状態が得られる。
図２９に示すものは、前記下ネジ軸１３９の上端１５０に長ナット１５１を一体に設けた場合を示すものであり、該長ナット１５１の雌ネジ部１５２に上ネジ軸１４７の下端部分１４８を螺合し該上ネジ軸１４７の上側の部分１４９を前記下石材９の上面７６で上方に突出状態とすると、前記１本の下の連結棒１２を前記下石材９の上面７６で上方に突設したのと同様の状態が得られる。
【００６７】
(4) 図３０は、１本の下の連結棒１２の下端側部分をなすネジ軸部１５２を、前記下石材（例えば火袋受台９ａ）９の上面７６に埋設した雌ネジ部１５３に螺合することによって、該下の連結棒１２を前記下石材９の上面７６で上方に突設した状態とした場合を示している。
【００６８】
(5) 図３１〜３２は、前記火袋６ａとしての空洞石材６を平面視で六角形を呈する箱状に形成した場合を示すものであり、その各コーナ部（空洞部２の周縁部分３０）において、上下方向で貫通する中間の連結孔３１，３１，３１，３１，３１，３１が設けられている。これに合わせて、該空洞石材（火袋６ａ）６の上面９２に載置される前記連結石材１０には、各連結孔３１に上下方向で連通する状態で上の連結孔５６，５６，５６，５６，５６，５６が設けられている。該連結石材１０は、上石材７を構成する傘７ａの下面に凹設された嵌入凹所４３に嵌入されるようになされており、該嵌入状態で、該連結石材１０の上面４９に該嵌入凹所４３の頂面４５が載置される。
図３３は、例えば円柱状の灯籠を構成する場合に用いられる円板状の連結石材１０を例示するものであり、前記空洞石材６の前記空洞部２の周縁部分３０に例えば９０度の角度をおいて設けられている中間の連結孔３１と連通する状態で上の連結孔５６が上下方向で貫設されている。又、その中央部分に位置させて、上下方向で貫通する連結孔５９が設けられている。
その他、前記空洞石材６は、平面視の形態が四角形、五角形、六角形、八角形等の多角形を呈するものとして構成することもでき、これらの場合は、夫々のコーナ部分に中間の連結孔３１を設けるのがよい。
【００６９】
(6) 本発明に係る耐震性石積構造物１を構成する下石材９は、例えば図３４に示すように、前記のような台座石材１５を介することなく、例えばアンカーボルト１３４を介して直接基礎１５４に定置されることもある。該下石材９の形態は、その他、各種に構成され得る。
該下石材９は、要は、空洞石材６の前記空洞部２の周縁部分３０に前記窓部３を避けて上下方向で貫設された中間の連結孔３１を挿通する下の連結棒１２の下端側部分を止着させ得る部分を有すればよいのであり、その形態は各種に構成され得る。
又、前記上石材７は、要は、上の連結棒１１を介して前記連結石材１０と連結される部分を有するものであればその形態は各種に構成され得るのであり、単一の石材で構成されることの他、例えば前記の耐震性灯籠１ａや前記の耐震性五重の塔１ｂにおけるように、積重された複数個の石材を以て構成されることもある。
【００７０】
(7) 前記空洞石材６の空洞部２の周壁部５に上下方向で貫設される前記中間の連結孔３１は、該空洞石材６の形状等に合わせて、例えば対向側に２箇所設けられたり、１２０度の角度をおいて３箇所設けられたりする等、複数個設けられるものであればよい。そして、該空洞石材６に設けられている中間の連結孔３１の配置に合わせて、前記連結石材１０と前記下石材９に、連結孔等の止着部が設けられることになる。
【００７１】
(8) 前記上の連結棒１１の下端部分及び該下端部分に螺合されるナット３３は、前記窓部３を通して目視されにくいものである限り、前記空洞石材６の前記空洞部２内に存してもよい。
【００７２】
(9) 前記連結石材１０が前記上石材７の嵌入凹所４３に嵌入された状態で、該連結石材１０の下面５０と前記上石材７の下面４２は、面一乃至、該連結石材１０の下面５０が上石材７の下面４２よりも上に位置するように設定するのが、該連結石材１０の嵌入部分を目立たなくして耐震性石積構造物１の外観を自然なものとする上で好ましいのであるが、場合によっては、該連結石材１０の下面５０が上石材７の下面４２から下方に位置する状態とされることもある。
【００７３】
(10)前記空洞石材６の周壁部５に設ける窓部３の形態は、例えば耐震性灯籠である場合は、火袋６ａとしての空洞石材６の内部の明かりを見えるようにするものであればその形態は問わない。又、前記空洞石材６の周壁部５に設ける窓部３は、一箇所設けられているだけでもよい。
【００７４】
(11)図３５は、石材相互間（例えば、下石材９の上面と空洞石材６の下面間や、前記柱石材１６の上面と前記下石材９の下面間に、コーキング材を充填するための目地溝１５５を形成する目的で、樹脂製のクッション材１５６を介在させた態様の一例を示している。
【００７５】
(12)前記上下の連結棒１１，１２の長さや直径は、形成せんとする石積構造物の高さや各石材の厚さ等を考慮して所要に設定されるものである。
【００７６】
(13)前記上の連結棒１１の下端部分の前記連結石材１０に対する止着や、その上端部分の前記上石材７に対する止着、又、前記下の連結棒１２の下端部分の前記下石材９に対する止着や、その上端部分の前記連結石材１０に対する止着は、前記したようなナット３３を用いて行ったり、雌ネジ部にねじ込むこと等によって行うことができる。
【００７７】
(14)又、前記下石材９を支持する前記台座石材１５の形態は、構成せんとする耐震性石積構造物に応じて、例えば琴柱のように二股の脚部を具えるもの等、各種に構成され得る。
【符号の説明】
【００７８】
１  耐震性石積構造物
１ａ  耐震性灯籠
１ｂ  耐震性五重の塔
２  空洞部
３  窓部
５  周壁部
６  空洞石材
６ａ  火袋
７  上石材
７ａ  傘
９  下石材
９ａ  火袋受台
１０  連結石材
１１  上の連結棒
１２  下の連結棒
１５  台座石材
１６  柱石材
１９  連結棒
３０  周縁部分
３１  中間の連結孔
３２  下の連結孔
３３  ナット
４３  嵌入凹所
４５  嵌入凹所の頂面
４６  上の中央の連結孔
５０  連結石材の下面
４２  上石材の下面
５６  上の連結孔
５７  載置支持部
【図１】
2011226129.tif 000003
【図２】
2011226129.tif 000004
【図３】
2011226129.tif 000005
【図４】
2011226129.tif 000006
【図５】
2011226129.tif 000007
【図６】
2011226129.tif 000008
【図７】
2011226129.tif 000009
【図８】
2011226129.tif 000010
【図９】
2011226129.tif 000011
【図１０】
2011226129.tif 000012
【図１１】
2011226129.tif 000013
【図１２】
2011226129.tif 000014
【図１３】
2011226129.tif 000015
【図１４】
2011226129.tif 000016
【図１５】
2011226129.tif 000017
【図１６】
2011226129.tif 000018
【図１７】
2011226129.tif 000019
【図１８】
2011226129.tif 000020
【図１９】
2011226129.tif 000021
【図２０】
2011226129.tif 000022
【図２１】
2011226129.tif 000023
【図２２】
2011226129.tif 000024
【図２３】
2011226129.tif 000025
【図２４】
2011226129.tif 000026
【図２５】
2011226129.tif 000027
【図２６】
2011226129.tif 000028
【図２７】
2011226129.tif 000029
【図２８】
2011226129.tif 000030
【図２９】
2011226129.tif 000031
【図３０】
2011226129.tif 000032
【図３１】
2011226129.tif 000033
【図３２】
2011226129.tif 000034
【図３３】
2011226129.tif 000035
【図３４】
2011226129.tif 000036
【図３５】
2011226129.tif 000037
【図３６】
2011226129.tif 000038
【図３７】
2011226129.tif 000039
【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
内部に空洞部が設けられると共に、該空洞部に連通する窓部が周壁部に設けられてなる空洞石材と、該空洞石材を上下から挾むように配置される上石材と下石材とを、連結石材と上下の連結棒とを用いて連結一体化する耐震性石積構造物であって、該連結石材は、前記空洞石材上に載置される共に、該連結石材の全体が、前記上石材の下面に凹設された嵌入凹所に嵌入される如くなされ、又、該嵌入状態で、該連結石材の上面に該嵌入凹所の頂面が載置される如くなされ、又、前記空洞石材の前記空洞部の周縁部分には、前記窓部が設けられている部分を避けて、上下方向で貫通する連結孔が設けられており、該連結孔を挿通した前記下の連結棒の下端部分が前記下石材に止着されると共に、該下の連結棒の上端部分が前記連結石材に止着されることにより、前記空洞石材と前記下石材と前記連結石材とが該下の連結棒を介して連結一体化される如くなされ、又、前記上の連結棒の下端部分が前記連結石材に止着されると共に該上の連結棒の上端部分が前記上石材に止着されて、前記連結石材と前記上石材とが該上の連結棒を介して連結一体化される如くなされていることを特徴とする耐震性石積構造物。
【手続補正２】
【補正対象書類名】明細書
【補正対象項目名】全文
【補正方法】変更
【補正の内容】
【発明の詳細な説明】
【技術分野】
【０００１】
本発明は、石積構造物全体としての耐震性を向上させ得る耐震性石積構造物に関するものである。
【背景技術】
【０００２】
石材を順次積重して構成された灯籠等の石積構造物は、石材を単純に積み重ねただけでは、地震力が特に大きい場合に倒壊しやすい問題があった。そこで本発明者は、耐震性の灯籠を特開２００５−７６１９１号公報で提案した。
【０００３】
該耐震性の灯籠ａは、図３６に示すように、下部材ｂと、該下部材ｂ上に載置された中部材ｃと、該中部材ｃ上に載置された上部材ｄとを具えており、該下部材ｂは、上側に向かって幅狭となる３個の石材ｅ，ｆ，ｇを積み上げて構成されており、該中部材ｃは、上下に稍長い１個の石材として構成されており、前記上部材ｄは、基台ｊと、その上に設けられた火袋（内部に空洞部ｋが設けられると共に、該空洞部ｋに連通する窓部ｍが周壁部ｎに設けられてなる石材）ｐと、その上に被る傘ｑと、その上端に載置された擬宝珠ｓとで構成されていた。
【０００４】
そして、前記した下部材ｂを構成する下の石材ｅと中間の石材ｆと上の石材ｇ、及び前記中部材ｃには、平面視で中央部に位置させて、連結孔ｔ，ｔ，ｔ，ｔが上下連通状態に設けられていた。又、前記下の石材ｅは、基礎ｕにボルト固定される如くなされると共に、前記上部材ｄを構成する前記基台ｊの下面部ｖの中央には、前記連結孔ｔ，ｔ，ｔ，ｔが連通されてなる連通連結孔ｗと同心に雌ネジ部ｘが埋設されていた。
【０００５】
そして該連通連結孔ｗには連結棒ｙが挿通せしめられ、その上端のネジ軸部ｚが前記雌ネジ部ｘに螺合されると共に、前記下部材ｂの最下端の石材ｅの下の面ａ１で突出（連通連結孔ｗの下端で突出）した連結棒下端のネジ軸部ｂ１には座金を介してナットｄ１が螺合され締め付けられることにより、下部材ｂと中部材ｃと基台ｊとが連結一体化されて耐震性の灯籠ａが構成されるようになされていた。
【０００６】
かかる耐震性の灯籠ａは、前記下部材ｂと、前記中部材ｃと、前記上部材ｄの内の前記基台ｊとが連結棒ｙで連結一体化されているために転倒しにくい利点があった。しかしながら、前記上部材ｄの内の前記火袋ｐは前記基台ｊ上に単純に載置されているだけであり、前記傘ｑは前記火袋ｐ上に単純に載置されているだけであり、又、前記擬宝珠ｓは前記傘ｑの上端に単純に載置されているだけであって、該火袋ｐ、該傘ｑ、該擬宝珠ｓは、前記連結棒ｙによって連結されてはいなかった。そのため、地震時の振動如何によっては前記火袋ｐや傘ｑ、擬宝珠ｓからなる灯籠の上部分が倒壊する恐れがあり、灯籠全体としての耐震性が十分とはいえない問題があった。
【０００７】
もしも図３７に示すように、前記連結棒ｙを、前記火袋ｐの前記空洞部ｋを上方に貫通させると共に、前記傘ｑに設けた連結孔ｆ１に挿通せしめ、更に、前記擬宝珠ｓの下面部ｇ１に埋設された雌ネジ部ｈ１に螺合させることとすれば、灯籠を構成する全ての石材を連結棒ｙで連結一体化できることとなり、これにより灯籠全体としての耐震性を向上させ得ることとなる。
【０００８】
しかしながら前記火袋ｐには、その周壁部ｎに、前記空洞部ｋに連通する窓部ｍが設けられているため、図３７（Ａ）（Ｂ）に示すように、前記連結棒ｙの内の、前記空洞部ｋを上方に貫通する連結棒部分ｍ１が該窓部ｍを通して見えることになってしまい、これでは灯籠の外観を損なうことになってしまう。そのために前記連結棒ｙは、前記火袋ｐの空洞部ｋを挿通させることとはせずに、該連結棒ｙの上端のネジ軸部ｚを、前記火袋ｐを支持する前記基台ｊに埋設した前記雌ネジ部ｘに螺合させざるを得なかったのである。
【先行技術文献】
【特許文献】
【０００９】
【特許文献１】特開２００５−７６１９１号公報
【発明の概要】
【発明が解決しようとする課題】
【００１０】
本発明は前記従来の問題点に鑑みて開発されたものであり、前記火袋のような、内部に空洞部が設けられると共に該空洞部に連通する窓部が周壁部に設けられてなる空洞石材を含む石積構造物であっても、該石積構造物の外観を損なうことなく、該空洞石材と、該空洞石材を上下から挾むように配置される上石材と下石材とを連結棒で連結一体化可能とし、これによって石積構造物の耐震性を一層向上させることができる耐震性石積構造物の提供を課題とするものである。
【課題を解決するための手段】
【００１１】
前記課題を解決するため本発明は以下の手段を採用する。
即ち本発明に係る耐震性石積構造物は、内部に空洞部が設けられると共に、該空洞部に連通する窓部が周壁部に設けられてなる空洞石材と、該空洞石材を上下から挾むように配置される上石材と下石材とを、連結石材と上下の連結棒とを用いて連結一体化する耐震性石積構造物であって、前記連結石材は、前記空洞石材上に載置される共に、該連結石材の全体が、前記上石材の下面に凹設された嵌入凹所に嵌入されるようになされ、又、該嵌入状態で、該連結石材の上面に該嵌入凹所の頂面が載置される如くなされている。又、前記空洞石材の前記空洞部の周縁部分には、前記窓部が設けられている部分を避けて、上下方向で貫通する連結孔が設けられており、該連結孔を挿通した前記下の連結棒の下端部分が前記下石材に止着されると共に、該下の連結棒の上端部分が前記連結石材に止着されることにより、前記空洞石材と前記上石材と前記下石材とが前記下の連結棒を介して連結一体化される如くなされ、又、前記上の連結棒の下端部分が前記連結石材に止着されると共に該上の連結棒の上端部分が前記上石材に止着されて、前記連結石材と前記上石材とが前記上の連結棒を介して連結一体化される如くなされていることを特徴とするものである。
【発明の効果】
【００１２】
本発明は以下の如き優れた効果を奏する。
本発明に係る耐震性石積構造物によるときは、石積構造物を構成する全ての石材を上下の連結棒で連結一体化できるために、灯籠等の石積構造物全体としての耐震性を向上させることができる。しかも、該上下の連結棒による石材の連結一体化を連結石材を用いて行なうこととしているため、下の連結棒を、空洞石材の空洞部を貫通するように配置するのではなく、該空洞部の周壁部において前記窓部を避けて上下方向で貫通する如く設けた連結孔に下の連結棒を挿通させることが可能となる。かかることから、前記空洞石材の窓部を通して該下の連結棒が目視されることがなく、石積構造物の外観を損ずる恐れがない。  
【００１３】
又、本発明は、前記連結石材を嵌入させるための嵌入凹所を前記傘等の上石材に設ける構成を採用するため、該嵌入凹所に連結石材の全体又はその多くの部分を嵌め入れることが可能であり、灯籠等の石積構造物の該嵌入部分の外観を損ないにくい。加えて、嵌入凹所を設けた分だけ上石材の重量を軽減でき上石材の取り扱い性を向上させ得る。
【図面の簡単な説明】
【００１４】
【図１】本発明を応用して構成された耐震性灯籠を示す斜視図である。
【図２】その断面図である。
【図３】その分解斜視図である。
【図４】その一部分を示す分解斜視図である。
【図５】耐震性灯籠を組み立てるに際し、台座石材上に支柱を立設し、その上に火袋受台を設置する作業工程を示す断面図である。
【図６】耐震性灯籠を組み立てるに際して、火袋受台上に火袋を設置し、その上に連結石材を設置する作業工程を示す断面図である。
【図７】柱石材と火袋受台と火袋と連結石材の連結一体化状態を示す断面図である。
【図８】耐震性灯籠を組み立てるに際して、連結石材上に傘を設置し、該傘の上端に擬宝珠を設置する作業工程を示す断面図である。
【図９】連結石材と傘と擬宝珠の三者を連結一体化する他の構成を説明する断面図である。
【図１０】火袋内に流入した雨水の排出状態を示す断面図である。
【図１１】火袋受台の連結孔の上端周縁部分に十字状の水誘導溝を設けた構成を説明する斜視図と平面図である。
【図１２】本発明を応用して構成された耐震性五重の塔を示す正面図である。
【図１３】耐震性五重の塔に応用されている本発明の構成を説明する断面図である。
【図１４】その構成の他の態様を示す断面図である。
【図１５】その構成のその他の態様を示す断面図である。
【図１６】その構成のその他の態様を示す断面図である。
【図１７】その構成のその他の態様を示す断面図である。
【図１８】連結石材と上石材とを上の連結棒を用いて連結一体化した状態を示す拡大断面図である。
【図１９】本発明を応用して構成された耐震性五重の塔の他の態様を示す正面図である。
【図２０】耐震性五重の塔に応用されている本発明の構成を説明する断面図である。
【図２１】その構成の他の態様を示す断面図である。
【図２２】その構成のその他の態様を示す断面図である。
【図２３】その構成のその他の態様を示す断面図である。
【図２４】その構成のその他の態様を示す断面図である。
【図２５】連結石材と上石材とを上の連結棒を用いて連結一体化した状態を示す拡大断面図である。
【図２６】連結石材と上石材とを上の連結棒を用いて連結一体化した状態を示す拡大断面図である。
【図２７】連結石材と上石材とを上の連結棒を用いて連結一体化した他の構成を説明する断面図である。
【図２８】下の連結棒の他の態様をそれが下石材に立設された状態で示す一部断面正面図である。
【図２９】下の連結棒のその他の態様をそれが下石材に立設された状態で示す一部断面正面図である。
【図３０】下の連結棒のその他の態様をそれが下石材に立設された状態で示す一部断面正面図である。
【図３１】平面視で六角形状を呈する箱状に形成された火袋としての空洞石材を連結石材と共に示す斜視図である。
【図３２】それを用いて構成された耐震性灯籠の一部分を示す断面図である。
【図３３】平面視で円形を呈する箱状に形成された火袋としての空洞石材と、それに用いる連結石材を示す斜視図である
【図３４】耐震性石積構造物のその他の実施例を示す断面図である。
【図３５】石材間に目地溝を形成する目的で石材間に樹脂製のクッション材を介在させた状態の一例を示す断面図である。
【図３６】従来の耐震性灯籠を示す一部断面平面図である。
【図３７】従来の耐震性灯籠の問題点を示す正面図である。
【発明を実施するための形態】
【実施例１】
【００１５】
図１〜４において本発明に係る耐震性石積構造物１は耐震性灯籠１ａに応用されており、内部に空洞部２が設けられると共に該空洞部２に連通する窓部３が周壁部５に設けられてなる、火袋６ａとしての空洞石材６と、該空洞石材６を上下から挾むように配置される、傘７ａとその上端に設置される擬宝珠３８とからなる上石材７と、火袋受台９ａとしての下石材９とを、連結石材１０と上下の連結棒１１，１２とを用いて連結一体化するものである。そして本実施例においては図２に示すように、該下石材９は、地面に定置される台座石材１５上に立設される柱石材１６の上面１７に載置されるようになされており、該台座石材１５と該柱石材１６と該下石材９とは１本の連結棒１９で連結一体化されるようになされている。
【００１６】
前記空洞石材（火袋６ａ）６は、本実施例においては図３〜４に示すように、外形が立方体箱状を呈しており、上端が円形に開放し且つ下端が閉じられた円形の空洞部（直径は例えば１２０ｍｍ）２を有しており、該空洞石材６ａの周壁部５を構成する４つの側壁部２５，２６，２７，２８の夫々には、前記空洞部２に連通する前記窓部３が設けられている。その一方の対向する側壁部２５，２７には円形孔状の窓部３ａが設けられると共に、その他方の対向する側壁部２６，２８の一方の側壁部２６には、三角形状の窓部３ｂと菱形状の窓部３ｃとを適宜組み合わせることよって、これらの窓部間で花柄部２９が設けられると共に、他方の側壁部２６には矩形状の比較的大きな窓部３ｄ（図２）が設けられている。
【００１７】
そして、該空洞石材６ａの前記周壁部５の前記空洞部２の周縁部分３０には、前記窓部３が設けられている部分を避けて、本実施例においては前記火袋６ａの四隅部分３０ａ，３０ａ，３０ａ，３０ａに、上下方向で貫通する連結孔（以下、中間の連結孔という）３１，３１，３１，３１が設けられている。該中間の連結孔の孔径は、例えば１５ｍｍに設定される。
【００１８】
前記下石材（火袋受台９ａ）９は、本実施例においては図２〜４に示すように、平面視で正方形状を呈する板体として構成されており、その四隅部分には、前記空洞石材６の四隅部分に設けられている前記中間の連結孔３１，３１，３１，３１と位置合わせして、上下方向で貫通する下の連結孔（孔径は例えば１２ｍｍ）３２，３２，３２，３２が設けられている。そして各連結孔３２の上下端側部分は拡大されて、ナット３３を納めるための下の拡大孔（孔径は例えば２８ｍｍ）３５と上の拡大孔（孔径は例えば２８ｍｍ）３６とされている。又、該下石材（火袋受台９ａ）９の中央部分には、上下方向で貫通する連結孔（孔径は例えば１８ｍｍ）３７が設けられており、該連結孔３７の上端側部分は拡大されて、ナット３３を納めるための拡大孔（孔径は例えば５０ｍｍ）３９とされている。
【００１９】
前記上石材７を構成する前記傘７ａは、本実施例においては図２〜４に示すように、平面視で正方形状をなし、全体として傘状を呈しており、その上端部には正方形台状部４０が設けられると共にその上面は、擬宝珠３８を設置するための擬宝珠設置面４１とされている。又、その下面４２は正方形状の平坦な水平面に形成され、該下面４２の中央部分には正方形状の嵌入凹所４３が設けられている。該嵌入凹所４３の正方形の一辺長さは例えば１８５ｍｍに設定されると共に、その深さは例えば８５ｍｍに設定されている。又、該嵌入凹所４３の頂面４５は水平面に形成されている。そして該頂面４５の中央部分には、上の中央の連結孔（孔径は例えば１５ｍｍ）４６が設けられると共に、該連結孔４６の上端側部分は拡大されて、ナット３３を納めるための拡大孔（孔径は例えば４０ｍｍ）４７とされている。
【００２０】
前記連結石材１０は、本実施例においては図２に示すように、前記傘７ａの前記嵌入凹所４３に嵌入されることにより、該連結石材１０の上面４９に該嵌入凹所４３の頂面４５が当接し、これによって、該連結石材１０が前記傘７ａの重量を支持する如くなされている。そして、このように嵌入された状態で、該連結石材１０の下面５０が前記傘７ａの前記下面４２と面一、乃至該下面４２から稍浮き上がるようになされている。図２においては、例えば５ｍｍ程度浮き上がった状態が示されている。
【００２１】
該連結石材１０は、より具体的には図３〜４に示すように、平面視で正方形状を呈する直方体状板体の上側の四隅部分が四分割円弧状に欠切されており、該欠切部５２の下側に存する部分が止着板部５３とされている。このように四分割円弧状の欠切部５２を形成しているのは、前記ナット３３の締め付け作業を容易化するためであるが、このような欠切部５２が設けられないこともある。そして、該止着板部５３の上面５５の略中央部分に位置させて、上下方向に貫通する上の連結孔（孔径は例えば１５ｍｍ）５６，５６，５６，５６が、前記空洞石材６の四隅部に設けられている前記中間の連結孔３１，３１，３１，３１と位置合わせして設けられている。そして該連結石材１０の中央部分は、前記止着板部５３の上面５５よりも結果的に高く形成された載置支持部５７とされており、強度のある該載置支持部５７で前記傘７ａを安定的に支持できる。又、該載置支持部５７の中央部分には、下の中央の連結孔（孔径は例えば１５ｍｍ）５９が上下方向で貫設されており、該下の中央の連結孔５９の下端側部分は拡大されて、ナット３３を納めるための拡大孔（孔径は例えば３０ｍｍ）６０とされている。
【００２２】
前記擬宝珠３８は、図２に示すように、その下面６１で前記擬宝珠設置面４１に設置されるものであり、円形周面６２を有し、図４に示すように、その下面６１の中央部分に雌ネジ部６３が埋設されている。
【００２３】
又前記柱石材１６は、図２〜３に示すように、平面視で正方形状を呈しており高さが４００ｍｍ程度に設定された上下に長い石材であって、その上面の中央部分には、前記連結孔３７と連通する状態で連結孔（孔径は例えば１８ｍｍ）６５が貫設されている。該連結孔６５の下端側部分は拡大されて、ナット３３を納めるための拡大孔（孔径は例えば４０ｍｍ）６６とされている。
【００２４】
又前記台座石材１５は、図２〜３に示すように、平面視で正方形状を呈しており、高さが１６０ｍｍ程度に設定された直方体状の石材であって、その上面の中央部分には、前記連結孔６５と連通する状態で連結孔（孔径は例えば１８ｍｍ）６７が貫設されており、該連結孔６５の下端側部分は拡大されて、ナット３３を納めるための拡大孔（孔径は例えば４０ｍｍ）６８とされている。そして、該台座石材１５の下面６９の中央部の両側には下端開放の雌ネジ部７０が埋設されており、該雌ネジ部７０に、アンカーボルト７１の上端ネジ軸部７２が螺合されている。
【００２５】
然して、前記構成の各石材を用いて耐震性灯籠１ａを構築するに際しては、先ず図５（Ａ）に示すように、前記台座石材１５の前記連結孔６７に、上下に長い例えばステンレス製の両切りボルトとしての連結棒１９を挿通し、該連結棒１９の下端部分としてのネジ軸部７５に座金を介してナット３３を螺合すると共に、該連結孔６７の上端側において、前記連結棒１９のネジ軸に螺合されているナット３３を螺合し締め付ける。これによって該連結棒１９は回り止めされ、該連結棒１９の上側部分７９が該台座石材１５の上面８０で立設状態となる。その後、図５（Ｂ）に示すように、該連結棒１９の上側部分７９を、前記柱石材１６の前記連結孔６５にその下側から順次挿通させつつ該柱石材１６を前記台座石材１５上に載置する。この状態で、前記ナット３３が該柱石材１６の前記拡大孔６６に納まる。そして、前記連結棒１９の上端側の部分８１が該柱石材１６の上面１７の上方に突出した状態となる。
【００２６】
その後、図２、図５（Ｃ）、図６（Ａ）に示すように、前記下石材（火袋受台９ａ）９の中央部分に設けられている前記連結孔３７に前記連結棒１９の上端側の部分８１を挿通させ該下石材９を前記柱石材１６の上面１７に載置すると共に、前記連結孔３７の拡大孔３９において、ナット３３を螺合し締め付ける。このとき、連結棒１９は、前記台座石材１５側に配置されている上下のナット３３，３３の締め付けによって回り止めされているので、該拡大孔３９内のナット３３の締め付けを確実に行うことができる。該ナット３３と、連結棒１９の上端部７４は、該拡大孔３９に納まる。これにより図２に示すように、連結棒１９を介して、前記台座石材１５と前記柱石材１６と前記下石材９とが連結一体化される。
【００２７】
なお本実施例においては、図５（Ｃ）に示すように、下石材９を前記柱石材１６の上面１７に載置するに先立って、前記４つの下の連結孔３２，３２，３２，３２に、下の連結棒１２を挿通状態とし、その下端側の部分７４を該下石材９に固定しておく。該下の連結棒１２は、本実施例においては、上下に長い例えばステンレス製の両切りボルトとして構成されている。該下の連結棒１２の下端部分８６に座金を介してナット３３を螺合し、該下の連結棒１２の下端部と該ナット３３とを前記下の拡大孔３５に納める。その後、該下の連結棒１２の稍上側に螺合したナット３３を前記上の拡大孔３６に納めた状態で締め付ける。即ち、該下端部分８６を止着する。これにより、該下の連結棒１２の前記下端側の部分７４が下石材９に固定され、４本の下の連結棒１２，１２，１２，１２は該下石材９の上面７６で立設状態となる。その後、図６（Ａ）（Ｂ）に示すように、前記空洞石材６の四隅の各中間の連結孔３１，３１，３１，３１の夫々に、対応の下の連結棒１２の上側の部分９０を挿通させ、該空洞石材６を下石材９上に載置する。この状態で、図６（Ｂ）に示すように、４本の下の連結棒１２の上端側の部分９１，９１，９１，９１が該空洞石材６の上面９２から上方に突出状態となる。
【００２８】
この状態で、図６（Ｂ）、図７に示すように、前記連結石材１０の四隅の前記上の連結孔５６，５６，５６，５６の夫々に、対応の下の連結棒１２の上端側の部分９１を挿通させ、該連結石材１０を前記空洞石材６の上面９２に載置する。そして、前記止着板部５３の上面５５で突出した、下の連結棒１２の上端部分９５に座金を介してナット３３を螺合し締め付ける。即ち、該上端部分９５を該連結石材１０に止着する。このとき、下の連結棒１２は、前記下石材９側の上下のナット３３，３３が締め付けられた状態にあって回り止めされているので、前記止着板部５３側のナット３３の締め付けを確実に行うことができる。下の連結棒１２の上端部分と該ナット３３は、前記欠切部５２に納まる。
【００２９】
これにより、該４本の下の連結棒１２，１２，１２，１２を介して、前記下石材９と前記空洞石材６と前記連結石材１０の三者が連結一体化されることになる。
【００３０】
その後、図８（Ａ）（Ｂ）に示すように、前記上石材７を構成する前記傘７ａを、その嵌入凹所４３に前記連結石材１０を嵌め入れつつ降ろし、該連結石材１０の前記載置支持部５７の上面４９と前記嵌入凹所４３の頂面４５とを当接させる。これにより、前記傘７ａが前記連結石材１０に載置された状態となる。この状態で、前記上下の中央の連結孔４６，５９が連通状態となる。該連通連結孔８２（図８（Ｂ））に、例えばステンレス製の両切りボルトとして構成された前記上の連結棒１１を上から下に向けて挿通するのであるが、その際、図８（Ｂ）に示すように、該上の連結棒１１の上側部分に、例えば前記傘７ａの上面としての擬宝珠設置面４１に当接する状態で、ナット３３を螺合しておく。又、該上の連結棒１１の下端部分（ネジ軸部）８３にナット３３を螺合する。このナット３３の螺合は、前記空洞石材６の前記矩形状の窓部３ｄに手を挿入して行なうことができる。該ナット３３を前記拡大孔６０に納めた状態で、該上の連結棒１１の前記上側部分に螺合されているナット３３を締め付ける。即ち、該下端部分８３を前記連結石材１０に止着する。
【００３１】
これによって、該上の連結棒１１の上端側の部分９７が前記擬宝珠設置面４１から上方に突出状態となるので、該上端部分９７を前記擬宝珠３８の前記雌ネジ部６３に螺合させる。該雌ネジ部６３の下端６３ａは、本実施例においては図８（Ｂ）に示すように、該擬宝珠３８の下面に凹設された拡大孔４７の頂面４７ａで開口されている。該擬宝珠３８は、ナットのように回転させて締め付けるのであるが、このとき、上の連結棒１１は、上下のナット３３，３３が締め付けられた状態にあって回り止めされているので、擬宝珠３８の回転、締め付けを、確実に行うことができる。この締め付けによって、上端部分９７を前記上石材７に止着する。これによって、図２に示すように、前記連結石材１０と前記上石材７と前記擬宝珠３８の３者が該上の連結棒１１で連結一体化されることとなる。
【００３２】
図９は、前記連結石材１０と、前記上石材７を構成する傘７ａと前記擬宝珠３８の３者を該上の連結棒１１で連結一体化する他の態様を例示するものであり、該擬宝珠３８の雌ネジ部６３に、例えばステンレス製のネジ軸からなる前記上の連結棒１１の上端部分１００を螺合し、該上の連結棒１１を前記擬宝珠３８の下面６１から下方に突出状態とし、突出したネジ軸部分１０１にナット３３を螺合し締め付けて該上端部分１００の緩みを防止する。該ナット３３は前記拡大孔４７に納まる。その後、該突出したネジ軸部分１０１を、連通状態にある上下の中央の連結孔４６，５９に挿通せしめ、該上の連結棒１１の下端ネジ軸部１０２に座金を介してナット３３を螺合し締め付けることとしてもよい。この締め付けは、前記正方形状の窓部３ａに手を挿入し工具を用いて行うことができる。なお、該ナット３３と上の連結棒１１の下端部は前記拡大孔６０に納まる。
このようにして、全ての石材を連結一体化することにより耐震性灯籠１ａを構成できる。
【００３３】
本実施例においては、図２に示すように、前記空洞石材（火袋）６の底部１０４の中央部分に水抜き孔１０６が設けられているため、該火袋６ａの前記空洞部２に前記窓部３を通して浸入した雨水は、該水抜き孔１０６を通して流下し、前記ナット３３の螺締部分を通して前記下石材９の連結孔３７内に流入し、その後、前記柱石材１６の連結孔６５と前記台座石材１５の連結孔６７を流下し、前記連結棒１９の下側部分におけるナット３３，３３の螺締部分の隙間を通して外部に排出される。このような雨水の流入と排出を容易化するために、ナット３３の前記の各螺締部分において、図１０〜１１に示すように、前記下石材９の連結孔３７の上端周縁部分３７ａや、前記台座石材１５の前記連結孔６７の上端周縁部分６７ａとその下端周縁部分６７ｂに、十字状等の水誘導溝１０８を設けるのがよい。その他のナット螺締部分においても、同様にして水誘導溝を設けるのがよい。
【００３４】
このようにして構成された耐震性灯籠１ａは、図２に示すように、現場打ちコンクリート１０７の打設によって、前記アンカーボルト７１を介して地面に定置される。
【００３５】
このようにして地面に定置された耐震性灯籠１ａは、図２に示すように、前記連結棒１９と前記上下の連結棒１１，１２を介して全体が一体化されているため、灯籠全体としての耐震性能を長期間に亘って安定的に維持させることができるのは元より、前記４本の下の連結棒１１，１１，１１，１１が前記空洞石材６の空洞部２を上下方向で貫通することなく、該空洞部２の周縁部３０において上下方向で貫設された中間の連結孔３１を挿通することから、該下の連結棒１２が前記窓部３を通して目視されることがない。従って、灯籠の外観を損なうことがない。
【実施例２】
【００３６】
図１２〜１７は、本発明に係る耐震性石積構造物１が耐震性五重の塔１ｂに応用された場合を示すものであり、該耐震性五重の塔１ｂは、下石材９と空洞石材６と連結石材１０と上石材７とを含む複数個の石材を順次積重して構成されている。今、積重されている石材を下から順に、第１石材１０９、第２石材１１０、第３石材１１１、第４石材１１２、第５石材１１３、第６石材１１４、第７石材１１５、第８石材１１６、第９石材１１７、第１０石材１１８、第１１石材１１９、第１２石材１２０、第１３石材１２１、第１４石材１２２、第１５石材１２３、第１６石材１２４、第１７石材１２５、第１８石材１２６とする。
【００３７】
本発明に係る耐震性石積構造物１は、空洞石材６と、該空洞石材６を上下から挾むように配置される、上石材７と下石材９とが、連結石材１０と上下の連結棒１１，１２とを用いて連結一体化されてなるものであるが、該耐震性五重の塔１ｂにあっては、図１３に示すように、前記第３の石材１１１が空洞石材６に該当し、前記第２石材１１０が下石材９に該当し、前記第５石材１１３と前記第６石材１１４と前記第７石材１１５の組が上石材７に該当し、前記第４石材１１２が、該第５石材１１３の下面に凹設された嵌入凹所４３に嵌入される連結石材１０に該当する。そして、該連結石材１０の上面４９に該嵌入凹所４３の頂面４５が載置される如くなされている。
【００３８】
又、図１４に示すように、第６石材１１４が空洞石材６に該当し、前記第５石材１１３と第４石材１１２の組が下石材９に該当し、前記第８石材１１６と前記第９石材１１７と前記第１０石材１１８の組が上石材７に該当し、前記第７石材１１５が、該第８石材１１６の下面に凹設された嵌入凹所４３に嵌入される連結石材１０に該当する。そして、該連結石材１０の上面４９に該嵌入凹所４３の頂面４５が載置される如くなされている。
【００３９】
又、図１５に示すように、第９石材１１７が空洞石材６に該当し、前記第８石材１１６と第７石材１１５の組が下石材９に該当し、前記第１１石材１１９と前記第１２石材１２０と前記第１３石材１２１の組が上石材７に該当し、前記第１０石材１１８が、該第１１石材１１９の下面に凹設された嵌入凹所４３に嵌入される連結石材１０に該当する。そして、該連結石材１０の上面４９に該嵌入凹所４３の頂面４５が載置される如くなされている。
【００４０】
又、図１６に示すように、第１２石材１２０が空洞石材６に該当し、前記第１１石材１１９と第１０石材１１８の組が下石材９に該当し、前記第１４石材１２２と前記第１５石材１２３と前記第１６石材１２４の組が上石材７に該当し、前記第１３石材１２１が、該第１４石材１２２の下面に凹設された嵌入凹所４３に嵌入される連結石材１０に該当する。そして、該連結石材１０の上面４９に該嵌入凹所４３の頂面４５が載置される如くなされている。
【００４１】
又、図１７に示すように、第１５石材１２３が空洞石材６に該当し、前記第１４石材１２２と第１３石材１２１の組が下石材９に該当し、前記第１７石材１２５と前記第１８石材１２６の組が上石材７に該当し、前記第１６石材１２４が、該第１７石材１２５の下面に凹設された嵌入凹所４３に嵌入される連結石材１０に該当する。そして、該連結石材１０の上面４９に該嵌入凹所４３の頂面４５が載置される如くなされている。
【００４２】
ここで１段目の空洞石材６ａに関して説明すれば、図１３に示すように、下石材９としての前記第２石材１１０と、空洞石材６ａとしての前記第３石材１１１と、連結石材１０としての前記第４石材１１２とが下の連結棒１２で連結一体化されると共に、上石材７としての前記第５石材１１３、前記第６石材１１４、前記第７石材１１５の組と、連結石材１０としての前記第４石材１１２とが上の連結棒１１で連結一体化されている。
【００４３】
又、２段目の空洞石材６ｂに関して説明すれば、図１４に示すように、下石材９としての前記第５石材１１３と前記第４石材１１２の組と、空洞石材６ｂとしての前記第６石材１１４と、連結石材１０としての前記第７石材１１５とが下の連結棒１２で連結一体化されると共に、上石材７としての前記第８石材１１６、前記第９石材１１７、前記第１０石材１１８の組と、連結石材１０としての前記第７石材１１５とが上の連結棒１１で連結一体化されている。
【００４４】
又、３段目の空洞石材６ｃに関して説明すれば、図１５に示すように、下石材９としての前記第８石材１１６と前記第７石材１１５の組と、空洞石材６ｃとしての前記第９石材１１７と、連結石材１０としての前記第１０石材１１８とが下の連結棒１２で連結一体化されると共に、上石材７としての前記第１１石材１１９、前記第１２石材１２０、前記第１３石材１２１の組と、連結石材１０としての前記第１０石材１１８とが上の連結棒１１で連結一体化されている。
【００４５】
又、４段目の空洞石材６ｄに関して説明すれば、図１６に示すように、下石材９としての前記第１１石材１１９と前記第１０石材１１８の組と、空洞石材６ｄとしての前記第１２石材１２０と、連結石材１０としての前記第１３石材１２１とが下の連結棒１２で連結一体化されると共に、上石材７としての前記第１４石材１２２、前記第１５石材１２３、前記第１６石材１２４の組と、連結石材１０としての前記第１３石材１２１とが上の連結棒１１で連結一体化されている。
【００４６】
又、５段目の空洞石材６ｅに関して説明すれば、図１７に示すように、下石材９としての前記第１４石材１２２と前記第１３石材１２１の組と、空洞石材６ｄとしての前記第１５石材１２３と、連結石材１０としての前記第１６石材１２４とが下の連結棒１２で連結一体化されると共に、上石材７としての前記第１７石材１２５、前記第１８石材１２６の組と、連結石材１０としての前記第１６石材１２４とが上の連結棒１１で連結一体化されている。
【００４７】
図１３〜１７において前記４本の下の連結棒１１，１１，１１，１１は、前記空洞石材６の前記空洞部２の周縁部分３０に、前記窓部３が設けられている部分を避けて設けられた前記中間の連結孔３１，３１，３１，３１を貫通する。又、図１３〜１６においては、前記連結石材１０の上面の四隅部分で埋設された雌ネジ部１２７，１２７，１２７，１２７に下端部分１２９，１２９，１２９，１２９がねじ込まれてなる（即ち止着されてなる）４本のネジ軸１３０，１３０，１３０，１３０を用いて前記上の連結棒１１が構成されている。上の連結棒１１は、図１７においては、図１８に拡大して示すように、前記第１８石材１２６の下面の中央部分で埋設された雌ネジ部１６５に上端部分１６６がねじ込まれてなる（即ち止着されてなる）１本のネジ軸１３０を用いて構成されている。そして、該上の連結棒１１の下端部分１６７には、前記連結石材１０としての第１６石材１２４の下面中央部分に凹設された拡大孔１６９に納めたナット３３が螺合され締め付けられている。即ち、該連結石材１０に止着されている。
【００４８】
そして、４つの脚片１３１を有する台座石材１５としての前記第１石材１０９と前記第２石材１１０とは、図１２〜１３に示すように、連結棒１２８でネジ連結されており、該第１石材１０９は、図１２に示すように、その脚片１３１の下端で突設されたアンカーボルト１３２を介し、現場打ちコンクリートの打設によって地面１３に定置される。これらによって、耐震性五重の塔１ｂが構成されることになる。該耐震性五重の塔１ｂは、本発明に係る耐震性石積構造物１が応用されて、塔全体として耐震性を有する。
【実施例３】
【００４９】
図１９〜２４は、本発明に係る耐震性石積構造物１が耐震性五重の塔１ｂに応用された他の実施例を示すものであり、該耐震性五重の塔１ｂは、図１２〜１７に示すと同様に、下石材９と空洞石材６と連結石材１０と上石材７とを含む複数個の石材を順次積重して構成されている。今、積重されている石材を下から順に、第１石材１０９、第２石材１１０、第３石材１１１、第４石材１１２、第５石材１１３、第６石材１１４、第７石材１１５、第８石材１１６、第９石材１１７、第１０石材１１８、第１１石材１１９、第１２石材１２０、第１３石材１２１、第１４石材１２２、第１５石材１２３、第１６石材１２４、第１７石材１２５、第１８石材１２６とする。
【００５０】
本発明に係る耐震性石積構造物１は、空洞石材６と、該空洞石材６を上下から挾むように配置される、上石材７と下石材９とが、連結石材１０と上下の連結棒１１，１２とを用いて連結一体化されてなるものであるが、該耐震性五重の塔１ｂにあっては、図２０に示すように、前記第３の石材１１１が空洞石材６に該当し、前記第２石材１１０が下石材９に該当し、前記第５石材１１３が上石材７に該当し、前記第４石材１１２が、該第５石材１１３の下面に凹設された嵌入凹所４３に嵌入される連結石材１０に該当する。そして、該連結石材１０の上面４９に該嵌入凹所４３の頂面４５が載置される如くなされている。  
【００５１】
又、図２１に示すように、第６石材１１４が空洞石材６に該当し、前記第５石材１１３が下石材９に該当し、前記第８石材１１６が上石材７に該当し、前記第７石材１１５が、該第８石材１１６の下面に凹設された嵌入凹所４３に嵌入される連結石材１０に該当する。そして、該連結石材１０の上面４９に該嵌入凹所４３の頂面４５が載置される如くなされている。
【００５２】
又、図２２に示すように、第９石材１１７が空洞石材６に該当し、前記第８石材１１６が下石材９に該当し、前記第１１石材１１９が上石材７に該当し、前記第１０石材１１８が、該第１１石材１１９の下面に凹設された嵌入凹所４３に嵌入される連結石材１０に該当する。そして、該連結石材１０の上面４９に該嵌入凹所４３の頂面４５が載置される如くなされている。
【００５３】
又、図２３に示すように、第１２石材１２０が空洞石材６に該当し、前記第１１石材１１９が下石材９に該当し、前記第１４石材１２２が上石材７に該当し、前記第１３石材１２１が、該第１４石材１２２の下面に凹設された嵌入凹所４３に嵌入される連結石材１０に該当する。そして、該連結石材１０の上面４９に該嵌入凹所４３の頂面４５が載置される如くなされている。
【００５４】
又、図２４に示すように、第１５石材１２３が空洞石材６に該当し、前記第１４石材１２２が下石材９に該当し、前記第１７石材１２５と前記第１８石材１２６の組が上石材７に該当し、前記第１６石材１２４が、該第１７石材１２５の下面に凹設された嵌入凹所４３に嵌入される連結石材１０に該当する。そして、該連結石材１０の上面４９に該嵌入凹所４３の頂面４５が載置される如くなされている。
【００５５】
ここで１段目の空洞石材６ａに関して説明すれば、図２０に示すように、下石材９としての前記第２石材１１０と、空洞石材６ａとしての前記第３石材１１１と、連結石材１０としての前記第４石材１１２とが下の連結棒１２で連結一体化されると共に、上石材７としての前記第５石材１１３と、連結石材１０としての前記第４石材１１２とが上の連結棒１１で連結一体化されている。
【００５６】
又、２段目の空洞石材６ｂに関して説明すれば、図２１に示すように、下石材９としての前記第５石材１１３と、空洞石材６ｂとしての前記第６石材１１４と、連結石材１０としての前記第７石材１１５とが下の連結棒１２で連結一体化されると共に、上石材７としての前記第８石材１１６と、連結石材１０としての前記第７石材１１５とが上の連結棒１１で連結一体化されている。
【００５７】
又、３段目の空洞石材６ｃに関して説明すれば、図２２に示すように、下石材９としての前記第８石材１１６と、空洞石材６ｃとしての前記第９石材１１７と、連結石材１０としての前記第１０石材１１８とが下の連結棒１２で連結一体化されると共に、上石材７としての前記第１１石材１１９と、連結石材１０としての前記第１０石材１１８とが上の連結棒１１で連結一体化されている。
【００５８】
又、４段目の空洞石材６ｄに関して説明すれば、図２３に示すように、下石材９としての前記第１１石材１１９と、空洞石材６ｄとしての前記第１２石材１２０と、連結石材１０としての前記第１３石材１２１とが下の連結棒１２で連結一体化されると共に、上石材７としての前記第１４石材１２２と、連結石材１０としての前記第１３石材１２１とが上の連結棒１１で連結一体化されている。
【００５９】
又、５段目の空洞石材６ｅに関して説明すれば、図２４に示すように、下石材９としての前記第１４石材１２２と、空洞石材６ｅとしての前記第１５石材１２３と、連結石材１０としての前記第１６石材１２４とが下の連結棒１２で連結一体化されると共に、上石材７としての前記第１７石材１２５、前記第１８石材１２６の組と、連結石材１０としての前記第１６石材１２４とが上の連結棒１１で連結一体化されている。
【００６０】
図２０〜２４において前記４本の下の連結棒１２，１２，１２，１２は、前記空洞石材６の前記空洞部２の周縁部分３０に、前記窓部３が設けられている部分を避けて設けられた前記中間の連結孔３１，３１，３１，３１を貫通する。又、図２０〜２３において前記上の連結棒１１は、図２５に拡大して示すように、前記連結石材１０の下面中央部分に凹設された拡大孔１２７と前記上石材７の上面中央部分に凹設された拡大孔１２８に、下端部分１２９と上端部分１３４が突出状態となり、該下端部分１２９と該上端部分１３４にナット３３が螺合され締め付けられている。即ち止着されている。又、上の連結棒１１は、図２４においては、図２６に拡大して示すように、前記第１８石材１２６の下面の中央部分で埋設された雌ネジ部１５７に上端部分１５９がねじ込まれてなる（即ち止着されてなる）１本のネジ軸１３０を用いて構成されている。そして、該上の連結棒１１の下端部分１６０には、前記連結石材１０としての第１６石材１２４の下面中央部分に凹設された拡大孔１６１に納めたナット３３が螺合され締め付けられている。即ち、該連結石材１０に止着されている。又、該上の連結棒１１の上端側には、前記第１７石材１２５の上面１６２に当接した締め付け状態となるナット３３が配設され、該ナット３３は、前記第１８石材１２６の下面中央部分に凹設された拡大孔１６３に納められている。
【００６１】
そして、４つの脚片１３１を有する台座石材１５としての前記第１石材１０９と前記第２石材１１０とは、図１９〜２０に示すように、連結棒１２８でネジ連結されており、該第１石材１０９は、図１９に示すように、その脚片１３１の下端で突設されたアンカーボルト１３２を介し、現場打ちコンクリートの打設によって地面１３に定置される。これらによって、耐震性五重の塔１ｂが構成されることになる。該耐震性五重の塔１ｂは、本発明に係る耐震性石積構造物１が応用されて、塔全体として耐震性を有する。
【実施例４】
【００６２】
本発明は、前記実施例で示したものに限定されるものでは決してなく、「特許請求の範囲」の記載内で種々の設計変更が可能であることはいうまでもない。その一例を挙げれば次のようである。
【００６３】
(1) 本発明に係る耐震性石積構造物１は、要は、内部に空洞部２が設けられると共に、該空洞部２に連通する窓部３が周壁部５に設けられてなる空洞石材６と、該空洞石材６を上下から挾むように配置される上石材７と下石材９とを、連結石材１０と上下の連結棒１１，１２とを用いて連結一体化するものであればよいのであり、前記した灯籠や五重の塔の他、各種の石積構造物に応用できる。
【００６４】
(2) 本発明に係る耐震性石積構造物１は、前記擬宝珠３８に相当するものは必ずしも必須ではない。石積構造物によっては、上石材７上に他の石材が載置されない場合があるし、該上石材７上に一体的に飾り石等が設けられる場合もある。このような場合は、例えば図２７に示すように、上石材７の前記嵌入凹所４３の頂面４５に下端開放の雌ネジ部１３２を埋設すると共に、該雌ネジ部１３２に上の連結棒１１の上端ネジ軸部１３３を螺合し、該上の連結棒１１を該頂面４５の下方向に突出状態とした後、該上の連結棒１１の下方への突出部分１３５を前記連結石材１０の上の連結孔５６に挿通せしめ、該上の連結棒１１の下端ネジ軸部１３６にナット３３を螺合し締め付けることによって、該連結石材１０と該上石材７とを連結一体化することもできる。
【００６５】
(3) 前記下の連結棒１２は、図２８〜２９に示すような二分割タイプのものでもよい。図２８においては、下ネジ軸１３９を前記下石材（例えば火袋受台９ａ）９の下の連結孔３２に挿通させると共に該下ネジ軸１３９の下端側部分１４０に座金を介してナット３３を螺合し、該下ネジ軸１３９の上端部分１４１に、座金を介して、上下に長い長ナット１４３の下側雌ネジ部１４５を螺合し該長ナット１４３を締め付ける。そして、該長ナット１４３の上側雌ネジ部１４６に上ネジ軸１４７の下端部分１４８を螺合し該上ネジ軸１４６の上側の部分１４９を前記下石材９の上面７６で上方に突出状態とする。これにより、前記１本の下の連結棒１２を前記下石材９の上面７６で上方に突設したのと同様の状態が得られる。
図２９に示すものは、前記下ネジ軸１３９の上端１５０に長ナット１５１を一体に設けた場合を示すものであり、該長ナット１５１の雌ネジ部１５２に上ネジ軸１４７の下端部分１４８を螺合し該上ネジ軸１４７の上側の部分１４９を前記下石材９の上面７６で上方に突出状態とすると、前記１本の下の連結棒１２を前記下石材９の上面７６で上方に突設したのと同様の状態が得られる。
【００６６】
(4) 図３０は、１本の下の連結棒１２の下端側部分をなすネジ軸部１５２を、前記下石材（例えば火袋受台９ａ）９の上面７６に埋設した雌ネジ部１５３に螺合することによって、該下の連結棒１２を前記下石材９の上面７６で上方に突設した状態とした場合を示している。
【００６７】
(5) 図３１〜３２は、前記火袋６ａとしての空洞石材６を平面視で六角形を呈する箱状に形成した場合を示すものであり、その各コーナ部（空洞部２の周縁部分３０）において、上下方向で貫通する中間の連結孔３１，３１，３１，３１，３１，３１が設けられている。これに合わせて、該空洞石材（火袋６ａ）６の上面９２に載置される前記連結石材１０には、各連結孔３１に上下方向で連通する状態で上の連結孔５６，５６，５６，５６，５６，５６が設けられている。該連結石材１０は、上石材７を構成する傘７ａの下面に凹設された嵌入凹所４３に嵌入されるようになされており、該嵌入状態で、該連結石材１０の上面４９に該嵌入凹所４３の頂面４５が載置される。
図３３は、例えば円柱状の灯籠を構成する場合に用いられる円板状の連結石材１０を例示するものであり、前記空洞石材６の前記空洞部２の周縁部分３０に例えば９０度の角度をおいて設けられている中間の連結孔３１と連通する状態で上の連結孔５６が上下方向で貫設されている。又、その中央部分に位置させて、上下方向で貫通する連結孔５９が設けられている。
その他、前記空洞石材６は、平面視の形態が四角形、五角形、六角形、八角形等の多角形を呈するものとして構成することもでき、これらの場合は、夫々のコーナ部分に中間の連結孔３１を設けるのがよい。
【００６８】
(6) 本発明に係る耐震性石積構造物１を構成する下石材９は、例えば図３４に示すように、前記のような台座石材１５を介することなく、例えばアンカーボルト１３４を介して直接基礎１５４に定置されることもある。該下石材９の形態は、その他、各種に構成され得る。
該下石材９は、要は、空洞石材６の前記空洞部２の周縁部分３０に前記窓部３を避けて上下方向で貫設された中間の連結孔３１を挿通する下の連結棒１２の下端側部分を止着させ得る部分を有すればよいのであり、その形態は各種に構成され得る。
又、前記上石材７は、要は、上の連結棒１１を介して前記連結石材１０と連結される部分を有するものであればその形態は各種に構成され得るのであり、単一の石材で構成されることの他、例えば前記の耐震性灯籠１ａや前記の耐震性五重の塔１ｂにおけるように、積重された複数個の石材を以て構成されることもある。
【００６９】
(7) 前記空洞石材６の空洞部２の周壁部５に上下方向で貫設される前記中間の連結孔３１は、該空洞石材６の形状等に合わせて、例えば対向側に２箇所設けられたり、１２０度の角度をおいて３箇所設けられたりする等、複数個設けられるものであればよい。そして、該空洞石材６に設けられている中間の連結孔３１の配置に合わせて、前記連結石材１０と前記下石材９に、連結孔等の止着部が設けられることになる。
【００７０】
(8) 前記上の連結棒１１の下端部分及び該下端部分に螺合されるナット３３は、前記窓部３を通して目視されにくいものである限り、前記空洞石材６の前記空洞部２内に存してもよい。
【００７１】
(9) 前記連結石材１０が前記上石材７の嵌入凹所４３に嵌入された状態で、該連結石材１０の下面５０と前記上石材７の下面４２は、面一乃至、該連結石材１０の下面５０が上石材７の下面４２よりも上に位置するように設定するのが、該連結石材１０の嵌入部分を目立たなくして耐震性石積構造物１の外観を自然なものとする上で好ましいのであるが、場合によっては、該連結石材１０の下面５０が上石材７の下面４２から下方に位置する状態とされることもある。
【００７２】
(10)前記空洞石材６の周壁部５に設ける窓部３の形態は、例えば耐震性灯籠である場合は、火袋６ａとしての空洞石材６の内部の明かりを見えるようにするものであればその形態は問わない。又、前記空洞石材６の周壁部５に設ける窓部３は、一箇所設けられているだけでもよい。
【００７３】
(11)図３５は、石材相互間（例えば、下石材９の上面と空洞石材６の下面間や、前記柱石材１６の上面と前記下石材９の下面間に、コーキング材を充填するための目地溝１５５を形成する目的で、樹脂製のクッション材１５６を介在させた態様の一例を示している。
【００７４】
(12)前記上下の連結棒１１，１２の長さや直径は、形成せんとする石積構造物の高さや各石材の厚さ等を考慮して所要に設定されるものである。
【００７５】
(13)前記上の連結棒１１の下端部分の前記連結石材１０に対する止着や、その上端部分の前記上石材７に対する止着、又、前記下の連結棒１２の下端部分の前記下石材９に対する止着や、その上端部分の前記連結石材１０に対する止着は、前記したようなナット３３を用いて行ったり、雌ネジ部にねじ込むこと等によって行うことができる。
【００７６】
(14)又、前記下石材９を支持する前記台座石材１５の形態は、構成せんとする耐震性石積構造物に応じて、例えば琴柱のように二股の脚部を具えるもの等、各種に構成され得る。
【符号の説明】
【００７７】
１  耐震性石積構造物
１ａ  耐震性灯籠
１ｂ  耐震性五重の塔
２  空洞部
３  窓部
５  周壁部
６  空洞石材
６ａ  火袋
７  上石材
７ａ  傘
９  下石材
９ａ  火袋受台
１０  連結石材
１１  上の連結棒
１２  下の連結棒
１５  台座石材
１６  柱石材
１９  連結棒
３０  周縁部分
３１  中間の連結孔
３２  下の連結孔
３３  ナット
４３  嵌入凹所
４５  嵌入凹所の頂面
４６  上の中央の連結孔
５０  連結石材の下面
４２  上石材の下面
５６  上の連結孔
５７  載置支持部